(57)【要約】  ディスプレイ装置及びその動作方法に係り、該ディスプレイ装置は、ディスプレイと、１以上のインストラクションを保存するメモリと、メモリに保存された前記１以上のインストラクションを実行するプロセッサと、を含み、該プロセッサは、１以上のインストラクションを実行することにより、ディスプレイ装置に連結された外部映像提供装置に対応する第１チャネル情報、及びディスプレイ装置にインストールされたアプリケーションを介して提供可能な第２チャネル情報を含むチャネルリストを構成し、該第１チャネル情報は、外部映像提供装置で提供される複数のチャネルに係わる情報を含み、該第２チャネル情報は、アプリケーションで提供される複数のチャネルに係わる情報を含み、該統合チャネルリストに含まれた１つのチャネルを選択する入力に応答し、ディスプレイ装置は、選択されたチャネルに対応するソースを制御し、制御されたソースから獲得されたコンテンツをディスプレイに提供する。
2020532208.tif 000002
【特許請求の範囲】
【請求項１】
ディスプレイ装置において、
ディスプレイと、
１以上のインストラクションを保存するメモリと、
前記メモリに保存された前記１以上のインストラクションを実行するプロセッサと、を含み、
前記プロセッサは、前記１以上のインストラクションを実行することにより、
前記ディスプレイ装置に連結された外部映像提供装置に対応する第１チャネル情報として、前記外部映像提供装置によって提供される第１複数のチャネルに係わる情報を含む第１チャネル情報、及び前記ディスプレイ装置にインストールされたアプリケーションを介して提供可能な第２チャネル情報として、前記アプリケーションによって提供される第２複数のチャネルに係わる情報を含む第２チャネル情報を含むチャネルリストを構成し、
前記ディスプレイに現在表示されたコンテンツに対応する現在チャネル情報を確認し、
チャネルスイッチを要請するユーザ入力に応答し、前記確認された現在チャネル情報及び統合チャネルリストに基づいて、ターゲットチャネルを決定し、
前記ターゲットチャネルに対応するソースが、前記外部映像提供装置であるか、または前記アプリケーションであるかということを確認し、
前記決定されたターゲットチャネルに対応するイメージをディスプレイするために、前記確認されたソースを制御するディスプレイ装置。
【請求項２】
前記プロセッサは、前記１以上のインストラクションを実行することにより、
前記ディスプレイ装置のパワーオンに応答し、前記外部映像提供装置の電源がオンになっているか否かということを判断し、前記外部映像提供装置の電源がオンになっている場合、前記第１チャネル情報及び前記第２チャネル情報を含む前記統合チャネルリストを構成することを特徴とする請求項１に記載のディスプレイ装置。
【請求項３】
前記プロセッサは、前記１以上のインストラクションを実行することにより、
前記ディスプレイ装置が、前記外部映像提供装置から受信した第１コンテンツを表示する場合、前記ディスプレイ装置に表示される第１コンテンツイメージの少なくとも一部分について映像処理を行い、コンテンツイメージから文字を認識することにより、前記現在チャネル情報を確認し、
前記ディスプレイ装置が、前記ディスプレイ装置にインストールされたアプリケーションを介して受信した第２コンテンツを表示する場合、前記アプリケーションから受信したチャネル情報を基に、前記現在チャネル情報を確認することを特徴とする請求項１に記載のディスプレイ装置。
【請求項４】
前記プロセッサは、前記１以上のインストラクションを実行することにより、
前記決定されたターゲットチャネルに対応する第１ソースが、前記確認された現在チャネル情報に対応する第２ソースと異なるか否かということを判断し、
前記第１ソースが、前記第２ソースと異なるという判断により、前記第１ソースに、ディスプレイ装置の映像ソースを転換することを特徴とする請求項１に記載のディスプレイ装置。
【請求項５】
前記プロセッサは、前記１以上のインストラクションを実行することにより、
前記統合チャネルリストに基づいて、前記第１ソースによって提供可能な第１チャネル範囲を決定し、
前記統合チャネルリストに基づいて、前記第２ソースによって提供可能な第２チャネル範囲を決定し、
前記第２チャネル範囲が前記第２ソースである前記外部映像提供装置によって提供可能であり、前記第１チャネル範囲が、前記第１ソースが前記ディスプレイ装置によってインストールされた前記アプリケーションによって提供可能であるという判断により、前記ディスプレイ装置の前記映像ソースを、前記アプリケーションにスイッチングし、前記決定されたターゲットチャネルに係わる情報を、前記アプリケーションに提供することを特徴とする請求項４に記載のディスプレイ装置。
【請求項６】
前記プロセッサは、前記１以上のインストラクションを実行することにより、
前記統合チャネルリストに基づいて、前記第１ソースによって提供可能な第１チャネル範囲を決定し、
前記統合チャネルリストに基づいて、前記第２ソースによって提供可能な第２チャネル範囲を決定し、
前記第２チャネル範囲が前記第２ソースである前記アプリケーションによって提供可能であり、前記第１チャネル範囲が前記第１ソースである前記外部映像提供装置によって提供可能であるという判断により、前記ディスプレイ装置の前記映像ソースを、前記外部映像提供装置に対応する外部ソースにスイッチングし、前記決定されたターゲットチャネルに係わる情報を、前記外部映像提供装置に提供することを特徴とする請求項４に記載のディスプレイ装置。
【請求項７】
前記プロセッサは、前記１以上のインストラクションを実行することにより、
前記ターゲットチャネル情報によるチャネル制御コード信号を生成し、
前記生成されたチャネル制御コード信号を、ＩＲブラスタを利用し、前記外部映像提供装置に伝送するか、あるいは
前記チャネル制御コード信号が遠隔制御装置により、前記外部映像提供装置に伝送されるように、前記チャネル制御コード信号を、前記遠隔制御装置に伝送することを特徴とする請求項６に記載のディスプレイ装置。
【請求項８】
前記プロセッサは、前記１以上のインストラクションを実行することにより、
前記確認された現在チャネルに対応する第１ソースを決定し、
前記統合されたチャネルリストに基づいて、前記ターゲットチャネルに対応する第２ソースを決定し、
前記第２ソースが、前記第１ソースと同一であるという判断により、現在コンテンツを提供する前記第１ソースに、前記決定されたターゲットチャネル情報を提供することを特徴とする請求項１に記載のディスプレイ装置。
【請求項９】
ディスプレイ装置の動作方法において、
前記ディスプレイ装置に連結された外部映像提供装置に対応する第１チャネル情報として、前記外部映像提供装置によって提供される第１複数のチャネルに係わる情報を含む第１チャネル情報、及び前記ディスプレイ装置にインストールされたアプリケーションを介して提供可能な第２チャネル情報として、前記アプリケーションによって提供される第２複数のチャネルに係わる情報を含む第２チャネル情報を含むチャネルリストを構成する動作と、
前記ディスプレイに現在表示されたコンテンツに対応する現在チャネル情報を確認する動作と、
チャネルスイッチを要請するユーザ入力に応答し、前記確認された現在チャネル情報及び統合チャネルリストに基づいて、ターゲットチャネルを決定する動作、
前記ターゲットチャネルに対応するソースが、前記外部映像提供装置であるか、または前記アプリケーションであるかということを確認する動作と、
前記決定されたターゲットチャネルに対応するイメージをディスプレイするために、前記確認されたソースを制御する動作と、を含むディスプレイ装置の動作方法。
【請求項１０】
前記ディスプレイ装置のパワーオンに応答し、前記外部映像提供装置の電源がオンになっているか否かということを判断し、前記外部映像提供装置の電源がオンになっている場合、前記第１チャネル情報及び前記第２チャネル情報を含む統合チャネルリストを構成する動作をさらに含むことを特徴とする請求項９に記載のディスプレイ装置の動作方法。
【請求項１１】
前記ディスプレイ装置が、前記外部映像提供装置から受信した第１コンテンツを表示する場合、前記ディスプレイ装置に表示される第１コンテンツイメージの少なくとも一部分について映像処理し、前記第１コンテンツイメージから文字を認識することにより、前記現在チャネル情報を確認する動作と、
前記ディスプレイ装置が、前記ディスプレイ装置にインストールされたアプリケーションを介して受信した第２コンテンツを表示する場合、前記アプリケーションから提供されたチャネル情報を基に、前記現在チャネル情報を確認する動作と、をさらに含むことを特徴とする請求項９に記載のディスプレイ装置の動作方法。
【請求項１２】
前記決定されたターゲットチャネルに対応する第１ソースが、前記確認された現在チャネル情報に対応する第２ソースと異なるか否かということを判断し、
前記第１ソースが、前記第２ソースと異なるという判断により、前記ディスプレイ装置の映像ソースを、前記第１ソースに転換する動作をさらに含むことを特徴とする請求項９に記載のディスプレイ装置の動作方法。
【請求項１３】
前記統合チャネルリストに基づいて、前記第１ソースによって提供可能な第１チャネル範囲を決定する動作と、
前記統合チャネルリストに基づいて、前記第２ソースによって提供可能な第２チャネル範囲を決定する動作と、
前記第２チャネル範囲が前記第２ソースである前記外部映像提供装置によって提供可能であり、前記第１チャネル範囲が、前記第１ソースが前記ディスプレイ装置によってインストールされた前記アプリケーションによって提供可能であるという判断により、前記ディスプレイ装置の前記映像ソースを、前記アプリケーションにスイッチングし、前記決定されたターゲットチャネルに係わる情報を、前記アプリケーションに提供する動作と、をさらに含むことを特徴とする請求項１２に記載のディスプレイ装置の動作方法。
【請求項１４】
前記統合チャネルリストに基づいて、前記第１ソースによって提供可能な第１チャネル範囲を決定する動作と、
前記統合チャネルリストに基づいて、前記第２ソースによって提供可能な第２チャネル範囲を決定する動作と、
前記第２チャネル範囲が前記第２ソースである前記アプリケーションによって提供可能であり、前記第１チャネル範囲が前記第１ソースである前記外部映像提供装置によって提供可能であるという判断により、前記ディスプレイ装置の前記映像ソースを、前記外部映像提供装置に対応する外部ソースにスイッチングし、前記決定されたターゲットチャネルに係わる情報を、前記外部映像提供装置に提供する動作と、をさらに含むことを特徴とする請求項１２に記載のディスプレイ装置の動作方法。
【請求項１５】
前記ターゲットチャネル情報によるチャネル制御コード信号を生成する動作、及び
前記生成されたチャネル制御コード信号を、ＩＲブラスタを利用し、前記外部映像提供装置に伝送するか、あるいは前記チャネル制御コード信号が遠隔制御装置により、前記外部映像提供装置に伝送されるように、前記チャネル制御コード信号を、前記遠隔制御装置に伝送する動作をさらに含むことを特徴とする請求項１４に記載のディスプレイ装置の動作方法。
【請求項１６】
前記決定されたターゲットチャネルに対応する第１ソース、及び前記確認された現在チャネル情報に対応する第２ソースが同一であるか否かということを判断する動作と、
前記第１ソースが、前記第２ソースと同一であるという判断により、前記決定されたターゲットチャネルに係わる情報を、現在ディスプレイされるコンテンツを提供する前記第１ソースに提供する動作と、をさらに含むことを特徴とする請求項９に記載のディスプレイ装置の動作方法。
【請求項１７】
請求項９に記載の方法をコンピュータで実行させるためのプログラムを記録したコンピュータで読み取り可能な記録媒体。
【請求項１８】
前記プロセッサは、前記１以上のインストラクションを実行することにより、
前記外部映像提供装置がパワーオフになったことを検出し、
前記プロセッサが、前記外部映像提供装置がパワーオフになったことを検出したことに応答し、前記統合チャネルリストが前記第１チャネル情報を除くように再生成することを特徴とする請求項１に記載のディスプレイ装置。
【発明の詳細な説明】
【技術分野】
【０００１】
本発明は、ディスプレイ装置及びその動作方法に係り、さらに具体的には、統合チャネルリストを提供するディスプレイ装置及びその動作方法に関する。
【背景技術】
【０００２】
映像表示装置は、ユーザが視聴することができる映像を表示する機能を備えた装置である。ユーザは、映像表示装置を介して放送を視聴することができる。映像表示装置は、放送局から送出される放送信号のうち、ユーザが選択した放送をディスプレイに表示する。現在、放送は、全世界的に、アナログ放送からデジタル放送に転換されている。
【０００３】
デジタル放送は、デジタルの映像及び音声信号を送出する放送を意味する。該デジタル放送は、アナログ放送に比べ、外部ノイズに強く、データ損失が少なく、エラー訂正に有利であり、解像度が高く、鮮やかな画面を提供する。また、該デジタル放送は、アナログ放送と異なり、双方向サービスが可能である。
【０００４】
また、最近では、デジタル放送機能に加え、多様なコンテンツを提供するスマートテレビ（ＴＶ：television）が提供されている。スマートテレビは、ユーザの選択によって受動的に動作するのではなく、ユーザの操作なしでも、ユーザが所望するところを分析して提供することを目標にする。
【０００５】
従来、ＴＶにおいて、セットトップボックスを連結して視聴する場合、セットトップボックスのコンテンツは、ＨＤＭＩ（登録商標）（high definition multimedia interface）を介してＴＶに出力され、一般ＴＶ放送及び仮想チャネルを視聴するためには、ＨＤＭＩ（登録商標）ソースではないＴＶモードに転換を行わなければならない。そのように、一般ＴＶチャネル及び仮想チャネルとセットトップボックスチャネルは、排他的に動作するので、ＴＶチャネルや仮想チャネルを見ていて、セットトップボックスチャネルを視聴するためには、ＴＶのモードを転換しなければならない不都合がある。
【０００６】
以上のような情報は、本開示の理解の一助とするために、背景情報として提供されるものである。前述の開示内容は、本開示と係わり、従来技術としても利用されるかということについては、いかなる決定や主張もなされていない。
【発明の概要】
【発明が解決しようとする課題】
【０００７】
ユーザがＴＶチャネルや仮想チャネルを見ている間、セットトップボックスチャネル視聴を希望するとき、ユーザは、ＴＶのモードを変更しなければならない。そのようなモードスイッチは、非常に煩わしい作業になる。
【課題を解決するための手段】
【０００８】
多様な実施形態は、仮想チャネルを支援するディスプレイ装置において、セットトップボックスのチャネル情報合成、及び統合されたチャネルリスト内でチャネルを転換するディスプレイ装置及びその動作方法を提供するものである。
【発明の効果】
【０００９】
実施形態により、セットトップボックスを含む外部装置ソースのチャネル、仮想チャネル、及びＴＶチャネルを統合した統合チャネルリストを提供することにより、セットトップボックスチャネルと、仮想チャネル、または外部装置ソースに対応するチャネルとを、ユーザの介入によるモード変更なしに、即座に移動させる便宜性を提供することができる。
【図面の簡単な説明】
【００１０】
【図１Ａ】一実施形態によるシステムの概路図を示す図面である。
【図１Ｂ】一実施形態による、ディスプレイ装置に表示されるユーザインターフェースの一例を示す図面である。
【図２Ａ】一実施形態による統合チャネルリストを示す図面である。
【図２Ｂ】一実施形態による統合チャネルリストを示す図面である。
【図２Ｃ】一実施形態による統合チャネルリストを示す図面である。
【図２Ｄ】一実施形態による統合チャネルリストを示す図面である。
【図２Ｅ】一実施形態による統合チャネルリストを示す図面である。
【図３】一実施形態による、ディスプレイ装置、セットトップボックス、遠隔制御装置の間の動作について概略的に説明するためのブロック図である。
【図４】一実施形態によるディスプレイ装置の細部的な構成を示すブロック図である。
【図５】一実施形態による遠隔制御装置の構成ブロック図である。
【図６】一実施形態によるディスプレイ装置の動作方法を示す図面である。
【図７Ａ】一実施形態による、セットトップボックスモードチャネルリスト及びＴＶモードチャネルリストの例を示す図面である。
【図７Ｂ】一実施形態による、セットトップボックスモードチャネルリスト及びＴＶモードチャネルリストの例を示す図面である。
【図８】一実施形態による、ディスプレイ装置１００によって構成されたチャネルリストの一例を示す図面である。
【図９】同一放送社を基に、近くの位置にチャネルを配置させたチャネルリストの例を示す図面である。
【図１０】一実施形態による、セットトップボックス以外に、他の外部装置ソースも、チャネルリストに含めて構成した例を示す図面である。
【図１１】一実施形態による、ディスプレイ装置の動作方法の他の例を示すフローチャートである。
【図１２】一実施形態による、チャネル転換命令による、チャネル範囲によってチャネルを制御する方法のフローチャートである。
【図１３】図１２に図示された動作について具体的に説明するための参照図である。
【図１４】ディスプレイ装置が、セットトップボックスを直接制御する例について説明するための参照図である。
【図１５】ディスプレイ装置が、セットトップボックスを遠隔制御装置を利用して制御する例について説明するための参照図である。
【発明を実施するための形態】
【００１１】
多様な実施形態は、仮想チャネルを支援するディスプレイ装置において、セットトップボックスのチャネル情報合成、及び統合されたチャネルリスト内でチャネルの転換を行うディスプレイ装置及びその動作方法を提供する。
【００１２】
追加側面は、説明の一部に説明され、部分的に説明で明らかになったり、提示された具現の実践によって学習されたりする。適用的であり、制限的ではない具現は、前述されていない短所、及びその他短所を克服することができる。前述の短所を克服するために、現在の公示が必ずしも必要なものではなく、例えば、制限的ではない具現は、前述のいかなる問題も克服することができるということではない。添付されている請求項は、進歩性概念の真の範囲を確認するために参照されなければならない。
【００１３】
一実施形態によるディスプレイ装置は、ディスプレイと、１以上のインストラクションを保存するメモリと、前記メモリに保存された前記１以上のインストラクションを実行するプロセッサと、を含み、前記プロセッサは、前記１以上のインストラクションを実行することにより、前記ディスプレイ装置に連結された外部映像提供装置に対応する第１チャネル情報として、前記外部映像提供装置によって提供される第１複数のチャネルに係わる情報を含む第１チャネル情報、及び前記ディスプレイ装置にインストールされたアプリケーションを介して提供可能な第２チャネル情報として、前記アプリケーションによって提供される第２複数のチャネルに係わる情報を含む第２チャネル情報を含むチャネルリストを構成し、前記ディスプレイに現在表示されたコンテンツに対応する現在チャネル情報を確認し、チャネルスイッチを要請するユーザ入力に応答し、前記確認された現在チャネル情報及び前記統合チャネルリストに基づいてターゲットチャネルを決定し、前記ターゲットチャネルに対応するソースが、前記外部映像提供装置であるか、または前記アプリケーションであるかということを確認し、前記決定されたターゲットチャネルに対応するイメージをディスプレイするために、前記確認されたソースを制御する。
【００１４】
一実施形態によるディスプレイ装置は、ディスプレイ装置のパワーオンに応答し、前記外部映像提供装置の電源がオンになっているか否かということを判断し、前記外部映像提供装置の電源がオンになっている場合、前記第１チャネル情報及び前記第２チャネル情報を含むチャネルリストを構成し、前記外部映像提供装置の電源がオフになっている場合には、第１チャネル情報を除き、前記第２チャネル情報を含むチャネルリストを構成する。
【００１５】
一実施形態により、前記プロセッサは、前記１以上のインストラクションを実行することにより、前記ディスプレイ装置が、前記外部映像提供装置から受信したコンテンツを表示する場合、前記ディスプレイ装置に表示されるコンテンツイメージの少なくとも一部分について映像処理し、コンテンツイメージから文字を認識することにより、前記現在チャネル情報を確認し、前記ディスプレイ装置が、前記ディスプレイ装置にインストールされたアプリケーションを介して受信したコンテンツを表示する場合、前記アプリケーションから受信したチャネル情報を基に、前記現在チャネル情報を確認することができる。
【００１６】
一実施形態により、前記プロセッサは、前記１以上のインストラクションを実行することにより、決定されたターゲットチャネルに対応するソースが、前記確認された現在チャネル情報に対応するソースと異なる場合、前記決定されたターゲットチャネルに対応するソースに、ディスプレイ装置の映像ソースを転換することができる。
【００１７】
一実施形態により、前記プロセッサは、前記１以上のインストラクションを実行することにより、前記確認された現在チャネル情報が、前記外部映像提供装置で提供可能なチャネル範囲内において、前記決定されたターゲットチャネルが、前記ディスプレイ装置にインストールされたアプリケーションで提供可能なチャネル範囲である場合、前記ディスプレイ装置の映像ソースを、前記アプリケーションに転換し、前記アプリケーションに、前記決定されたターゲットチャネル情報を提供することができる。その場合、前記ディスプレイ装置は、前記アプリケーションを実行することができる。
【００１８】
一実施形態により、前記プロセッサは、前記１以上のインストラクションを実行することにより、前記確認された現在チャネル情報が、前記アプリケーションで提供可能なチャネル範囲内において、前記決定されたターゲットチャネルが、前記外部映像提供装置が提供可能なチャネル範囲である場合、前記ディスプレイ装置の映像ソースを、前記外部映像提供装置に対応する外部ソースに転換し、前記決定されたターゲットチャネル情報を、前記外部映像提供装置に伝送することができる。その場合、前記ディスプレイ装置は、前記外部映像提供装置に電源オンを要請するメッセージを伝送することができる。
【００１９】
一実施形態により、前記プロセッサは、前記１以上のインストラクションを実行することにより、前記ターゲットチャネル情報によるチャネル制御コード信号を生成し、前記生成されたチャネル制御コード信号を、ＩＲブラスタを利用し、前記外部映像提供装置に伝送するか、あるいは前記チャネル制御コード信号が遠隔制御装置により、前記外部映像提供装置に伝送されるように、前記チャネル制御コード信号を、前記遠隔制御装置に伝送することができる。
【００２０】
一実施形態により、前記プロセッサは、前記１以上のインストラクションを実行することにより、決定されたターゲットチャネルに対応するソースが、前記確認された現在チャネル情報に対応するソースと同じである場合、前記現在コンテンツを提供するソースに、前記決定されたターゲットチャネル情報を提供することができる。
【００２１】
一実施形態によるディスプレイ装置の動作方法は、前記ディスプレイ装置に連結された外部映像提供装置に対応する第１チャネル情報として、前記外部映像提供装置によって提供される第１複数のチャネルに係わる情報を含む第１チャネル情報、及び前記ディスプレイ装置にインストールされたアプリケーションを介して提供可能な第２チャネル情報として、前記アプリケーションによって提供される第２複数のチャネルに係わる情報を含む第２チャネル情報を含むチャネルリストを構成する動作、前記ディスプレイに現在表示されたコンテンツに対応する現在チャネル情報を確認する動作、チャネルスイッチを要請するユーザ入力に応答し、前記確認された現在チャネル情報及び前記統合チャネルリストに基づいてターゲットチャネルを決定する動作、前記ターゲットチャネルに対応するソースが、前記外部映像提供装置であるか、または前記アプリケーションであるかということを確認する動作、及び前記決定されたターゲットチャネルに対応するイメージをディスプレイするために、前記確認されたソースを制御する動作を含む。
【００２２】
一実施形態により、ディスプレイ装置の動作方法をコンピュータで実行させるためのプログラムを記録したコンピュータで読み取り可能な記録媒体が開示される。
【００２３】
本明細書で使用される用語について簡略に説明し、本発明について具体的に説明する。
【００２４】
本発明で使用される用語は、本発明での機能を考慮しながら、可能な限り、現在汎用される一般的な用語を選択したが、それは、当分野の当業者の意図、判例、または新たな技術の出現などによっても異なる。また、特定の場合は、出願人が任意に選定した用語もあり、その場合、当該発明の説明部分において、詳細にその意味を記載する。従って、本発明で使用される用語は、単純な用語の名称ではなく、その用語が有する意味と、本発明の全般にわたる内容とを基に定義されなければならない。
【００２５】
明細書全体において、ある部分がある構成要素を「含む」とするとき、それは、特別に反対となる記載がない限り、他の構成要素を除くものではなく、他の構成要素をさらに含んでもよいということを意味する。また、明細書に記載された「…部」、「モジュール」というような用語は、少なくとも１つの機能や動作を処理する単位を意味し、それは、ハードウェアまたはソフトウェアによって具現されるか、あるいはハードウェアとソフトウェアとの結合によっても具現される。
【００２６】
以下においては、添付した図面を参照し、実施形態について、本発明が属する技術分野において当業者が容易に実施することができるように詳細に説明する。しかし、本発明は、さまざまに異なる形態によっても具現され、ここで説明する実施形態に限定されるものではない。そして、図面において、本発明について明確に説明するために、説明と係わりのない部分は、省略し、明細書全体を通じて、類似した部分については、類似した図面符号を付した。
【００２７】
本明細書の実施形態において、「ユーザ」という用語は、制御装置を利用し、映像表示装置の機能または動作を制御する者を意味し、視聴者、管理者または設置技士を含む。
【００２８】
図１Ａは、一実施形態によるシステムの概路図を示す。
【００２９】
図１Ａを参照すれば、該システムは、ディスプレイ装置１００、遠隔制御装置２００、外部装置３００、放送局１０、通信ネットワーク３０、コンテンツ提供サーバ４０を含む。
【００３０】
ディスプレイ装置１００は、多様なソースを介して受信されるコンテンツデータを処理し、映像を表示することができる。ディスプレイ装置１００がコンテンツデータを受信するソースは、放送局１０、コンテンツ提供サーバ４０、外部装置３００を含んでもよい。
【００３１】
ディスプレイ装置１００は、ＲＦ（radio frequency）アンテナを利用し、放送局１０からＲＦ信号を受信することができる。
【００３２】
ディスプレイ装置１００は、インターネットプロトコルを基に、通信ネットワーク３０を介して、コンテンツ提供サーバ４０が提供するコンテンツを受信することができる。
【００３３】
ディスプレイ装置１００は、多様なポート、ＨＤＭＩ（登録商標）（high definition multimedia interface）のような有線インターフェース（Ｉ／Ｆ）、またはＷｉ−Ｆｉ（wireless fidelity）、Ｗｉｆｉ−direct及びブルートゥース（登録商標）（Bluetooth（登録商標））のような無線Ｉ／Ｆを介して、ディスプレイ装置１００に連結される外部装置３００からコンテンツを受信することができる。外部装置３００は、例えば、セットトップボックスのような映像提供装置３１０、ゲーム装置３２０、ＢＤプレイヤ３３０、ＰＣ（personal computer）３４０、ＵＳＢ（universal serial bus）３５０、携帯電話３６０などを含んでもよい。
【００３４】
映像提供装置３１０は、ディスプレイ装置１００に、有線または無線で接続され、外部から受信される映像信号を処理し、ディスプレイ装置に出力する。
【００３５】
それ以外にも、ディスプレイ装置１００は、通信自在に接続されたモバイル装置から、コンテンツを受信することができ、自主的に内蔵されたり、ローカル接続されたりするメモリから、コンテンツデータを取得することもできる。
【００３６】
本実施形態において、ディスプレイ装置１００は、そのように多様な映像供給ソースのうちいずれか一つを選択し、選択した映像供給ソースから受信されるコンテンツデータを処理し、コンテンツ映像を表示することができる。ディスプレイ装置１００は、映像供給ソースのうちいずれか一つをユーザに選択させる多様なユーザインターフェース環境を提供することができ、該ユーザインターフェース環境の一つの例示としては、遠隔制御装置２００がある。
【００３７】
遠隔制御装置２００は、基本的には、ディスプレイ装置１００と物理的に分離及び離隔されたデバイスによって具現され、ユーザが容易に把持及び携帯することができるように整えられている。遠隔制御装置２００は、ディスプレイ装置１００の製造段階において、ディスプレイ装置１００に対応するように設計及び製造されるものが利用されることができるか、あるいは汎用遠隔制御装置が利用される。
【００３８】
遠隔制御装置２００が、ユーザの操作により、ディスプレイ装置１００の動作を制御するためには、遠隔制御装置２００が伝送する制御信号を、ディスプレイ装置１００が認識しなければならない。それにより、遠隔制御装置２００から伝送される制御信号に対応するディスプレイ装置１００の各動作の情報が、前もって規定される。そのような情報は、コードセット（code set）と称し、該コードセットは、遠隔制御装置２００によるディスプレイ装置１００の制御時点以前に、遠隔制御装置２００及びディスプレイ装置１００にそれぞれインストールまたは保存されなければならない。ただし、遠隔制御装置２００は、必ずしもディスプレイ装置１００の製造段階において、ディスプレイ装置１００に対応するように設計及び製造される場合のみあるものではない。遠隔制御装置２００は、ディスプレイ装置１００と異なる製造社で製造される入力装置であるが、ディスプレイ装置１００の制御のためのコードセットが、追って遠隔制御装置２００にインストールされることにより、ディスプレイ装置１００を制御可能に設けることも可能である。同様に、遠隔制御装置２００が映像供給装置３１０を制御するために、映像供給装置３１０の制御のためのコードセットが、遠隔制御装置２００にも保存される。遠隔制御装置２００は、リモートコントローラまたは携帯電話のように、ディスプレイ装置１００を制御するための多様な形態の装置によっても具現される。
【００３９】
一実施形態によるディスプレイ装置１００は、ＴＶでもあるが、それは、一実施形態に過ぎず、ディスプレイを含む電子装置としても具現される。例えば、ディスプレイ装置１００は、携帯電話、タブレットＰＣ、デジタルカメラ、カムコーダ、ノート型パソコン（laptop computer）、タブレットＰＣ、デスクトップ、電子書籍端末機、デジタル放送用端末機、ＰＤＡ（personal digital assistant）、ＰＭＰ（portable multimedia player）、ナビゲーション、ＭＰ３プレイヤ、着用型機器（wearable device）のような多様な電子装置としても具現される。ディスプレイ装置１００は、平面（flat）ディスプレイ装置だけではなく、曲率を有する画面である曲面（curved）ディスプレイ装置、または曲率が調整可能な可変型（flexible）ディスプレイ装置としても具現される。ディスプレイ装置１００の出力解像度は、例えば、ＨＤ（high definition）、full ＨＤ、ultra ＨＤのもの、あるいはultra ＨＤよりさらに鮮やかな解像度を含んでもよい。
【００４０】
ディスプレイ装置１００は、ＲＦアンテナまたはケーブルを介して、放送局の送出装備から周波数別にチャネルが割り当てられた放送信号を受信することができる。また、ディスプレイ装置１００は、追加してインターネットプロトコルを基に、ストリーミングサービス、ウェブサービス、ゲームサービス、ソーシャルネットワークサービスのような多様なコンテンツを提供される。そのように、ＩＰストリーミング、アプリケーション、ウェブページのようなインターネットプロトコルを基に提供されるコンテンツにも、各コンテンツ別にそれぞれチャネル番号が付与される。そのように、インターネットプロトコルを基に提供されるコンテンツに、チャネル番号を付与することにより、ユーザをして、ＥＰＧ（electronic program guide）、チャネルリスト、チャネルアップダウン、チャネル番号入力のような一般的な放送チャネルの場合と同一経験を介して、コンテンツにアクセスし、すぐ視聴することを可能にするサービスを、仮想チャネル（virtual channel）サービスと称する。本明細書においては、そのような仮想チャネルサービスを、ディスプレイ装置１００にインストールされるアプリケーションで提供するチャネルサービスと混用することにする。
【００４１】
図１Ａに図示されたシステムにおいて、従来には、ディスプレイ装置１００において、映像提供装置３１０を連結して視聴する場合、映像提供装置３１０からのコンテンツは、ＨＤＭＩ（登録商標）を介して、ディスプレイ装置１００の画面に出力される。また、一般テレビ放送及び仮想チャネルの視聴のためには、ＨＤＭＩ（登録商標）ソースではないＴＶモードに転換をすれば、視聴が可能である。反対に、一般テレビ放送及び仮想チャネルを視聴している最中、セットトップボックスのコンテンツ視聴のためには、ＨＤＭＩ（登録商標）ソースに転換をしなければならない。そのように、一般テレビチャネル及び仮想チャネルと、セットトップボックスチャネルは、排他的に動作する。従って、映像提供装置３１０は、一般テレビの空中波放送は、大部分支援するにもかかわらず、仮想チャネルだけ視聴することを希望する場合にも、ＴＶモードに転換をしなければならない。
【００４２】
従って、本実施形態においては、ディスプレイ装置１００に映像提供装置３１０を連結する場合、映像提供装置で提供するチャネルと、ディスプレイ装置１００にインストールされたアプリケーションで提供するチャネルとを統合したチャネルリストを自動的に構成し、それをユーザに提供することができる。そのように、統合チャネルリストを提供することにより、アプリケーションチャネルを映像提供装置チャネルの一部分として編入させることにより、映像提供装置チャネルを制御するチャネルアップ／ダウン機能だけで、映像提供装置チャネルとアプリケーションチャネルとの移動を可能にする。
【００４３】
図１Ｂは、一実施形態により、ディスプレイ装置１００の映像ソース選択のために提供されるユーザインターフェースの一例を示す。
【００４４】
図１Ｂを参照すれば、ディスプレイ装置１００は、映像ソースを選択することができる複数のアイテムを提供するユーザインターフェースを表示する。
【００４５】
複数のアイテムは、複数の外部入力ソースのうち一つを選択させる外部入力ソース選択アイテム５０、ＲＦチャネルを提供するライブＴＶアイテム５１、仮想チャネルを提供するＴＶプラスアイテム５２、統合チャネル電子プログラムガイド（ＥＰＧ）を提供するＴＶガイドアイテム５３、コンテンツ提供アプリ１アイテム５４、コンテンツ提供アプリ２アイテム５５、コンテンツ提供アプリ３アイテム５６を含んでもよい。
【００４６】
ユーザが遠隔制御装置２００を利用し、ユーザインターフェースに提供されたアイテムを選択すれば、ディスプレイ装置１００は、選択されたアイテムに対応するコンテンツを表示するか、あるいは選択されたアイテムに対応するアプリケーションを実行することができる。
【００４７】
ＴＶプラスアイテム５２の選択により、ディスプレイ装置１００は、外部コンテンツ提供サーバに接続し、ストリーミングされるコンテンツを表示し、コンテンツがストリーミングされるＵＲＬに対して仮想チャネルを付与する。ＴＶプラスアイテム５２は、複数の仮想チャネルを提供することができ、ユーザが仮想チャネルを変更すれば、ディスプレイ装置１００は、変更されたチャネルに該当するＵＲＬを介してストリーミングされるコンテンツを表示する。
【００４８】
外部入力ソース選択アイテム５０の選択により、ディスプレイ装置１００は、ディスプレイ装置１００が提供する複数の外部入力ソースアイテムを表示することができる。
【００４９】
複数の外部入力ソースアイテムは、有線インターフェースまたは無線インターフェースを介した入力ソースをいずれも含んでもよく、図１Ｂには、例えば、ＨＤＭＩ（登録商標） １アイテム６１、ＨＤＭＩ（登録商標） ２アイテム６２、ＨＤＭＩ（登録商標） ３アイテム６３、ＨＤＭＩ（登録商標） ４アイテム６４、ＰＣアイテム６５、コンポーネントアイテム６６、ＵＳＢアイテム６７、ブルートゥース（登録商標）アイテム６８が図示されている。ディスプレイ装置１００は、それ以外に、有線インターフェースまたは無線インターフェースの現況、及び各有線インターフェースまたは無線インターフェースに連結された外部装置の情報をさらに表示することができる。
【００５０】
ユーザによって、前述のような外部入力ソースアイテムのうち一つが選択されれば、ディスプレイ装置１００は、選択された外部入力ソースに対応する外部装置から受信される映像を表示することができる。
【００５１】
図２Ａないし図２Ｅは、一実施形態による統合チャネルリストを示す。
【００５２】
図２Ａないし図２Ｃを参照すれば、ディスプレイ装置１００は、ディスプレイ装置にインストールされたライブＴＶアプリ（例えば、図１ＢのライブＴＶアイテム５１の選択によって実行される）において、受信及び表示が可能な空中波放送に対応する放送チャネルリスト２２、外部映像提供装置３１０の一例であるセットトップボックスがディスプレイ装置１００に連結された場合、ＨＤＭＩ（登録商標）ソースを介して受信されるセットトップボックスのコンテンツに対応するセットトップボックスチャネルリスト２１、ディスプレイ装置にインストールされたＴＶプラス（例えば、図１Ｂに表示されたＴＶプラスアイテム５２の選択によって実行される）、すなわち、インターネットを介してストリーミングされるコンテンツに対して仮想チャネルを付与した仮想チャネルリスト２３を提供することができる。
【００５３】
セットトップボックスチャネルリスト２１は、ディスプレイ装置１００に連結されたセットトップボックスが提供するコンテンツに対応するチャネルリストであり、セットトップボックスチャネルリスト２２は、セットトップボックスから直接受信するか、あるいはセットトップボックス提供業者からも受信される。
【００５４】
ＴＶ放送チャネルリスト２２は、放送局の放送送出装備から受信した放送信号から抽出されるか、あるいは別途のサーバから電子プログラムガイドにも提供される。
【００５５】
仮想チャネルリスト２３は、ディスプレイ装置１００がインターネットプロトコルを基に提供される各コンテンツに対して、仮想でチャネル番号を割り当て、そのような割り当て状態をリストに作って管理するのである。ＩＰ基盤コンテンツの場合には、各ディスプレイ装置別にコンテンツを提供される環境が異なるので、そのような仮想チャネルリストは、各ディスプレイ装置１００で構成されることが望ましい。ただし、別途の管理サーバ（図示せず）がディスプレイ装置１００からＩＰ基盤コンテンツの受信環境に係わる情報を受信し、当該ディスプレイ装置１００に合うように仮想チャネルサービスを提供することも可能である。
【００５６】
ディスプレイ装置１００は、セットトップボックスが連結されていない場合、一般チャネルリスト２２と仮想チャネルリスト２３とを含むＴＶモード統合チャネルリスト２４を提供することができる。
【００５７】
ディスプレイ装置１００は、セットトップボックスがディスプレイ装置１００に連結された場合、セットトップボックスチャネルリスト２２と仮想チャネルリスト２３とを含むセットトップボックスモード統合チャネルリスト２５を提供することができる。ディスプレイ装置１００は、ディスプレイ装置１００にセットトップボックスが連結された場合、セットトップボックスチャネルリスト２１に仮想チャネルリスト２３を結合した統合チャネルリストを提供することにより、ユーザをして、仮想チャネルリスト内の仮想チャネルも、まさしくセットトップボックスチャネルリスト内のチャネルであるように、ディスプレイ装置のモード転換なしに、遠隔制御装置２００のチャネルアップ／ダウンボタンなどを利用し、チャネル移動を容易にさせる。
【００５８】
該統合チャネルリストは、ディスプレイ装置１００が生成することができ、または別途のサーバ（図示せず）が生成してディスプレイ装置１００に提供することもできる。
【００５９】
セットトップボックスモード統合チャネルリスト２５は、ＩＰ基盤コンテンツに対応する仮想チャネル及びセットトップボックスチャネルをいずれも含むが、両者間において、チャネル番号が重複しないように、各コンテンツに対してチャネル番号が付与される。ここで、該セットトップボックスモード統合チャネルリストは、セットトップボックスチャネル２２を基準にして、セットトップボックスチャネル番号のうち、最後のチャネル番号以後のチャネル番号を、仮想チャネルに付与することができる。
【００６０】
例えば、セットトップボックスチャネルに、１番から５９９番までのチャネル番号が付与されたとするならば、仮想チャネルは、セットトップボックスチャネルで付与された最後のチャネル番号である５９９番以後のチャネル番号が付与される。本実施形態においては、チャネル番号が５９９番後の６００番から仮想チャネルに対して付与されたということが分かるが、さらに後の番号からも付与される。セットトップボックスのチャネル数が増加もするので、セットトップボックスの最後のチャネル番号と、仮想チャネルの最初チャネル番号との間には、予備チャネル番号が多数設けられる。
【００６１】
図３は、一実施形態により、ディスプレイ装置、映像提供装置、遠隔制御装置の間の動作について概略的に説明するためのブロック図である。
【００６２】
図３を参照すれば、ディスプレイ装置１００は、ディスプレイ部１１０、制御部１３０、通信部１５０、感知部１６０、入出力部１７０を含む。
【００６３】
ディスプレイ部１１０は、入出力部１７０を介して、セットトップボックス３１０から受信されるコンテンツ、または通信部１５０を介して受信される仮想チャネルコンテンツを表示することができる。また、ディスプレイ部１１０は、制御部１３０によって生成された統合チャネルリストを表示することができる。
【００６４】
入出力部１７０は、映像提供装置３１０から提供されるコンテンツを受信する。
【００６５】
感知部１６０は、遠隔制御装置２００からの命令または制御信号を感知し、感知された命令または制御信号を制御部１３０に伝送する。
【００６６】
制御部１３０は、ディスプレイ装置１００の構成要素を全般的に制御し、１以上のプロセッサを含んでもよい。
【００６７】
一実施形態によるディスプレイ装置１００の制御部１３０は、入出力部１７０に連結された映像提供装置３１０の電源がオンになったか否かということを判断し、映像提供装置３１０の電源がオンになった場合には、映像提供装置３１０が提供するコンテンツに対応する映像提供装置チャネルリストと、ディスプレイ装置１００にインストールされたアプリケーションで提供するチャネルリストである仮想チャネルリストとを統合したチャネルリストを生成することができる。
【００６８】
一実施形態により、制御部１３０は、遠隔制御装置２００から受信したチャネル転換命令を受信し、該チャネル転換命令によって転換されるターゲットチャネルのソースを確認し、ターゲットチャネルのソースを制御することができる。
【００６９】
一実施形態により、制御部１３０は、遠隔制御装置２００から受信したチャネル転換命令を受信し、該チャネル転換命令によるターゲットチャネルがセットトップボックスチャネル範囲である場合、制御部３１０は、チャネル転換命令に対応するチャネル制御コード信号を、映像提供装置３１０に直接伝送するか、あるいは遠隔制御装置２００を介して、セットトップボックス３１０に伝送することができる。
【００７０】
一実施形態により、制御部１３０は、ディスプレイ１１０に表示されるコンテンツイメージに対して映像処理し、コンテンツイメージに含まれた文字を認識することにより、現在表示されるコンテンツに対応するチャネル情報を確認することができる。該セットトップボックスは、チャネル転換時などに、ディスプレイ装置に伝送するコンテンツイメージに、伝送されるコンテンツのチャネル番号を付与して伝送するが、前記付加されたチャネル番号を認識するために、ディスプレイ装置は、セットトップボックスから受信したコンテンツイメージの所定領域に対して、映像イメージから文字を認識するＯＣＲ（optical character recognition）を周期的に遂行し、チャネル番号を認識する。映像提供装置３１０は、制御部３１１、入出力部３１２、感知部３１３を含む。
【００７１】
制御部３１１は、映像提供装置３１０の構成要素を全般的に制御するが、１以上のプロセッサを含んでもよい。
【００７２】
映像提供装置３１０の制御部３１１は、ディスプレイ装置１００または遠隔制御装置２００から、チャネル制御コード信号を受信すれば、受信されたチャネル制御コード信号により、映像提供装置３１０で提供するチャネルを制御し、チャネル制御によるコンテンツを入出力部３１２を介して、ディスプレイ装置１００に伝送する。
【００７３】
制御部３１１は、コンテンツをディスプレイ装置１００に提供するとき、コンテンツのあらかじめ決定された領域に、コンテンツに対応するチャネル情報を付加することができる。
【００７４】
入出力部３１２は、制御部３１１の制御により、コンテンツをディスプレイ装置１００に伝送する。
【００７５】
感知部３１３は、ディスプレイ装置１００または遠隔制御装置２００から受信されたチャネル制御コード信号を感知し、それを制御部３１１に伝達する。例えば、感知部３１３は、ディスプレイ装置１００に連結されたＩＲブラスタなどから、チャネル制御ＩＲ信号を感知するか、あるいはチャネル制御コード信号をディスプレイ装置１００から受信した遠隔制御装置２００から、チャネル制御ＩＲ信号を感知することができる。
【００７６】
遠隔制御装置１００は、制御部２１０及び通信部２２０を含む。
【００７７】
制御部２１０は、遠隔制御装置１００の構成要素を制御し、１以上のプロセッサを含んでもよい。
【００７８】
遠隔制御装置２００の制御部２１０は、入力部を介して、ユーザ入力、例えば、チャネル転換入力を受信し、受信されたユーザ入力に対応する命令、例えば、チャネル転換命令を赤外線照射部などを介して、ディスプレイ装置１００に伝送することができる。
【００７９】
通信部２２０は、ディスプレイ装置２００から、チャネル制御コード信号を受信することができる。
【００８０】
制御部２１０は、ディスプレイ装置２００から受信したチャネル制御コード信号に対応するチャネル制御ＩＲ信号を、映像提供装置３１０に伝送するように、赤外線照射部を照射することができる。
【００８１】
図４は、一実施形態によるディスプレイ装置の細部的な構成を示すブロック図である。図４のディスプレイ装置１００ａは、図１のディスプレイ装置１００の一実施形態でもある。
【００８２】
図４を参照すれば、一実施形態によるディスプレイ装置１００ａは、ディスプレイ部１１０、メモリ１２０、制御部１３０、チューナ部１４０、通信部１５０、感知部１６０、入出力部１７０以外に、ビデオ処理部１８０、オーディオ処理部１１５、オーディオ出力部１２６、電源部１９０を含んでもよい。
【００８３】
図３で説明した内容と同一内容は、図４において省略する。
【００８４】
ビデオ処理部１８０は、ディスプレイ装置１００ａが受信したビデオデータに対する処理を行う。ビデオ処理部１８０においては、ビデオデータに対するデコーディング、スケーリング、ノイズフィルタリング、フレームレート変換、解像度変換のような多様なイメージ処理を行うことができる。
【００８５】
グラフィック処理部１８１は、ハードウェア及び／またはソフトウェアを含む演算部及びレンダリング部を利用し、アイコン、イメージ、テキストのような多様な客体を含む画面を生成する。該演算部は、感知部１６０を介して感知されたユーザ入力を利用し、画面のレイアウトによって各客体が表示される座標値、形態、大きさ、カラーのような属性値を演算する。該レンダリング部は、演算部で演算した属性値に基づいて、客体を含む多様なレイアウトの画面を生成する。該レンダリング部で生成された画面は、ディスプレイ部１１０のディスプレイ領域内に表示される。
【００８６】
一実施形態により、ビデオ処理部１８０は、レンダリング部を介して、ＯＣＲのような文字認識技術を利用し、映像提供装置３１０から提供されるコンテンツのイメージのあらかじめ決定された領域において、当該コンテンツに対応するチャネルに係わる情報を抽出することができる。
【００８７】
ディスプレイ部１１０は、制御部１３０の制御により、チューナ部１４０を介して受信された放送信号に含まれたビデオを画面に表示する。また、ディスプレイ部１１０は、通信部１５０または入出力部１７０を介して入力されるコンテンツ（例えば、動画）を表示することができる。ディスプレイ部１１０は、制御部１３０の制御により、メモリ１２０に保存された映像を出力することができる。
【００８８】
ディスプレイ部１１０は、制御部１３０で処理された映像信号、データ信号、ＯＳＤ（on-screen display）信号、制御信号などを変換し、駆動信号を生成する。ディスプレイ部１１０は、ＰＤＰ、ＬＣＤ、ＯＬＥＤ、フレキシブルディスプレイ（flexible display）などによっても具現され、また、三次元ディスプレイ（３Ｄ display）によっても具現される。また、ディスプレイ部１１０は、タッチスクリーンによって構成され、出力装置以外に、入力装置として使用されることも可能である。
【００８９】
オーディオ処理部１１５は、オーディオデータに対する処理を行う。オーディオ処理部１１５においては、オーディオデータに対するデコーディング、増幅、ノイズフィルタリングのような多様な処理が行われる。一方、オーディオ処理部１１５は、複数のコンテンツに対応するオーディオを処理するために、複数のオーディオ処理モジュールを具備することができる。
【００９０】
オーディオ出力部１２６は、制御部１３０の制御により、チューナ部１４０を介して受信された放送信号に含まれたオーディオを出力する。オーディオ出力部１２６は、通信部１５０または入出力部１７０を介して入力されるオーディオ（例えば、音声、サウンド）を出力することができる。また、オーディオ出力部１２６は、制御部１１０の制御により、保存部１９０に保存されたオーディオを出力することができる。オーディオ出力部１２６は、スピーカ１２７、ヘッドフォン出力端子１２８またはＳ／ＰＤＩＦ（Sony/Philips Digital Interface）出力端子１２９のうち少なくとも一つを含んでもよい。オーディオ出力部１２６は、スピーカ１２７、ヘッドフォン出力端子１２８及びＳ／ＰＤＩＦ出力端子１２９の組み合わせを含んでもよい。
【００９１】
チューナ部１４０は、有線または無線によって受信される放送信号を、増幅（amplification）、混合（mixing）、共振（resonance）などを介して、多くの電波成分のうち、ディスプレイ装置１００ａで受信するチャネルの周波数のみをチューニング（tuning）させて選択することができる。該放送信号は、オーディオ（audio）、ビデオ（video）及び付加情報（例えば、ＥＰＧ（electronic program guide））を含む。
【００９２】
チューナ部１４０は、ユーザ入力（例えば、遠隔制御装置２００から受信される制御信号、例えば、チャネル番号入力、チャネルのアップダウン（up-down）入力及びＥＰＧ画面でのチャネル入力）により、チャネル番号に対応する周波数帯域において、放送信号を受信することができる。
【００９３】
チューナ部１４０は、地上波放送、ケーブル放送、衛星放送、インターネット放送のように、多様なソースから放送信号を受信することができる。チューナ部１４０は、アナログ放送またはデジタル放送のようなソースから、放送信号を受信することもできる。チューナ部１４０を介して受信された放送信号は、デコーディング（例えば、オーディオデコーディング、ビデオデコーディングまたは付加情報デコーディング）され、オーディオ、ビデオ及び／または付加情報に分離される。分離されたオーディオ、ビデオ及び／または付加情報は、制御部１３０の制御により、メモリ１２０にも保存される。
【００９４】
ディスプレイ装置１００ａのチューナ部１４０は、一つであっても複数であってもよい。チューナ部１４０は、ディスプレイ装置１００ａと一体型（all-in-one）に具現されるか、あるいはディスプレイ装置１００ａと電気的に連結されるチューナ部を有する別個の装置（例えば、セットトップボックス（図示せず）、入出力部１７０に連結されるチューナ部（図示せず））としても具現される。
【００９５】
通信部１５０は、制御部１３０の制御により、ディスプレイ装置１００ａを外部装置（例えば、オーディオ装置など）と連結することができる。制御部１３０は、通信部１５０を介して連結された外部装置に／からコンテンツを送／受信したり、外部装置からアプリケーションをダウンロードしたり、ウェブブラウジングを行ったりすることができる。通信部１５０は、ディスプレイ装置１００ａの性能及び構造に対応し、無線ＬＡＮ（local area network）１５１、ブルートゥース（登録商標）１５２及び有線イーサネット（登録商標）（Ethernet）１５３のうち一つを含んでもよい。また、通信部１５０は、無線ＬＡＮ １５１、ブルートゥース（登録商標）１５２及び有線イーサネット（登録商標）１５３の組み合わせを含んでもよい。通信部１５０は、制御部１１０の制御により、制御装置２００の制御信号を受信することができる。該制御信号は、ブルートゥース（登録商標）タイプ、ＲＦ信号タイプまたはＷｉ−Ｆｉタイプによっても具現される。
【００９６】
通信部１５０は、ブルートゥース（登録商標）以外に、他の近距離通信（例えば、ＮＦＣ（near field communication）（図示せず）、ＢＬＥ（Bluetooth（登録商標） low energy）（図示せず）をさらに含んでもよい。
【００９７】
一実施形態により、通信部１５０は、コンテンツ提供サーバから仮想チャネルに対応するコンテンツを受信することができる。
【００９８】
感知部１６０は、ユーザの音声、ユーザの映像またはユーザのインタラクションを感知し、マイク１６１、カメラ部１６２及び光受信部１６３を含んでもよい。
【００９９】
マイク１６１は、ユーザの発話（utterance）された音声を受信する。マイク１６１は、受信された音声を電気信号に変換し、制御部１３０に出力することができる。ユーザ音声は、例えば、ディスプレイ装置１００ａのメニューまたは機能に対応する音声を含んでもよい。
【０１００】
カメラ部１６２は、カメラ認識範囲においてジェスチャを含むユーザのモーションに対応する映像（例えば、連続フレーム）を受信することができる。制御部１３０は、受信されたモーションの認識結果を利用し、ディスプレイ装置１００ａに表示されるメニューを選択するか、あるいはモーション認識結果に対応する制御を行うことができる。
【０１０１】
光受信部１６３は、外部の遠隔制御装置２００から受信される光信号（制御信号を含み）を受信する。光受信部１６３は、遠隔制御装置２００から、ユーザ入力（例えば、タッチ、押し、タッチジェスチャ、音声またはモーション）に対応する光信号を受信することができる。受信された光信号から、制御部１３０の制御により、制御信号が抽出される。例えば、光受信部１６３は、遠隔制御装置２００から、チャネル転換のためのチャネルアップ／ダウンボタンに対応する制御信号を受信することができる。
【０１０２】
入出力部１７０は、制御部１３０の制御により、ディスプレイ装置１００ａの外部から、ビデオ（例えば、動画など）、オーディオ（例えば、音声、音楽など）及び付加情報（例えば、ＥＰＧなど）などを受信する。入出力部１７０は、ＨＤＭＩ（登録商標）ポート１７１、コンポーネントジャック（component jack）１７２、ＰＣポート１７３及びＵＳＢポート１７４のうち一つを含んでもよい。入出力部１７０は、ＨＤＭＩ（登録商標）ポート１７１、コンポーネントジャック１７２、ＰＣポート１７３及びＵＳＢポート１７４の組み合わせを含んでもよい。
【０１０３】
メモリ１２０は、制御部１３０の制御により、ディスプレイ装置１００ａを駆動して制御するための多様なデータ、プログラムまたはアプリケーションを保存することができる。メモリ１２０は、ビデオ処理部１８０、ディスプレイ部１１０、オーディオ処理部１１５、オーディオ出力部１２６、電源部１３０、チューナ部１４０、通信部１５０、感知部１３０、入出力部１７０の駆動に対応する入力／出力される信号またはデータを保存することができる。
【０１０４】
メモリ１２０は、ディスプレイ装置１００ａ及び制御部の制御のためのオペレーティングシステム１２１、製造社で最初提供されるか、あるいは外部からダウンロードされたアプリケーション１２２、アプリケーションと係わるＧＵＩ（graphic user interface）、ＧＵＩを提供するためのオブジェクト（例えば、イメージテキスト、アイコン、ボタンなど）、ユーザ情報、文書、データベースまたは関連データを保存することができる。
【０１０５】
特に、一実施形態により、メモリ１２０は、ディスプレイ装置１００ａに連結された１以上の外部装置のチャネルを統合して統合チャネルリストを生成し、該統合チャネルリストによってチャネル制御を行うための１以上のインストラクションを含む統合チャネル制御モジュール１２３、映像提供装置３１０から受信されたコンテンツからチャネル情報を認識するための１以上のインストラクションを含む文字認識モジュール１２４、映像提供装置３１０からのチャネル制御のための１以上のインストラクションを含むＭＢＲモジュール１２５を含んでもよい。該モジュールは、メモリ１２０に保存された１以上のインストラクションを含む１以上のプログラムのようなソフトウェアでもあり、コンパイラによって作られ、制御部１３０によって実行可能なコードを含んでもよい。
【０１０６】
メモリ１２０は、ＲＯＭ（read-only memory）、ＲＡＭ（random access memory）、またはディスプレイ装置１００ａに装着されるメモリカード（例えば、micro ＳＤカード、ＵＳＢメモリ）（図示せず）を含む。また、メモリ１２０は、不揮発性メモリ、揮発性メモリ、ハードディスクドライブ（ＨＤＤ）またはソリッドステートドライブ（ＳＳＤ）を含んでもよい。
【０１０７】
制御部１３０は、ディスプレイ装置１００ａの全般的な動作、及びディスプレイ装置１００ａの内部構成要素間の信号フローを制御し、データを処理する機能を遂行する。制御部１３０は、ユーザの入力があるか、あるいは既設定であって保存された条件を満足する場合、メモリ１２０に保存されたＯＳ（operation system）、及び多様なアプリケーションを実行することができる。
【０１０８】
制御部１３０は、ディスプレイ装置１００ａの外部から入力される信号またはデータを保存するか、あるいはディスプレイ装置１００ａで遂行される多様な作業に対応する保存領域で使用されるＲＡＭ、ディスプレイ装置１００ａの制御のための制御プログラムが保存されたＲＯＭ、及びプロセッサを含んでもよい。
【０１０９】
制御部１３０に利用されるプロセッサは、ビデオに対応するグラフィック処理のためのグラフィックプロセッサ（図示せず）を含んでもよい。該プロセッサは、コア（図示せず）とＧＰＵ（図示せず）とを統合したＳｏＣ（system on chip）によっても具現される。
【０１１０】
また、プロセッサは、複数のプロセッサを含んでもよい。例えば、該プロセッサは、メインプロセッサ（図示せず）、及びスリープモードで動作するサブプロセッサ（図示せず）によっても具現される。
【０１１１】
一実施形態による制御部１３０は、メモリ１２０に保存された１以上のインストラクションを実行することにより、ディスプレイ装置に連結された外部映像提供装置に対応する第１チャネル情報、及びディスプレイ装置にインストールされたアプリケーションを介して提供可能な第２チャネル情報を含むチャネルリストを構成し、該チャネルリストに含まれた１つのチャネルを選択する入力に応答し、選択されたチャネルに対応するソースを制御し、制御されたソースから獲得されたコンテンツを、前記ディスプレイに提供することができる。制御部１３０は、このとき、ディスプレイ装置に連結された外部映像提供装置のうち、電源がオンになった外部映像提供装置に対応するチャネル情報を、前記第１チャネル情報に含めることができる。
【０１１２】
一実施形態による制御部１３０は、メモリ１２０に保存された１以上のインストラクションを実行することにより、ディスプレイ装置に現在表示されるコンテンツに対応する現在チャネル情報を確認し、確認された現在チャネル情報を利用し、チャネルリストに含まれた１以上のチャネルを制御することができる。
【０１１３】
一実施形態による制御部１３０は、メモリ１２０に保存された１以上のインストラクションを実行することにより、ディスプレイ装置が外部映像提供装置から受信したコンテンツを表示する場合、ディスプレイ装置に表示されるコンテンツイメージの少なくとも一部分から文字を認識することにより、前記現在チャネル情報を確認し、ディスプレイ装置がディスプレイ装置にインストールされたアプリケーションを介して受信したコンテンツを表示する場合、アプリケーションから受信したチャネル情報を基に、前記現在チャネル情報を確認することができる。
【０１１４】
一実施形態による制御部１３０は、メモリ１２０に保存された１以上のインストラクションを実行することにより、チャネル転換を要請するチャネル転換入力に応答し、確認された現在チャネル情報及びチャネルリストを基にターゲットチャネルを決定し、決定されたターゲットチャネルに対応するソースが、前記確認された現在チャネル情報に対応するソースと異なる場合、前記決定されたターゲットチャネルに対応するソースに、ディスプレイ装置の映像ソースを転換することができる。
【０１１５】
一実施形態による制御部１３０は、メモリ１２０に保存された１以上のインストラクションを実行することにより、確認された現在チャネル情報が、外部映像提供装置で提供可能なチャネル範囲内であり、決定されたターゲットチャネルがディスプレイ装置にインストールされたアプリケーションで提供可能なチャネル範囲である場合、ディスプレイ装置の映像ソースをアプリケーションに転換し、アプリケーションに決定されたターゲットチャネル情報を提供することができる。
【０１１６】
一実施形態による制御部１３０は、メモリ１２０に保存された１以上のインストラクションを実行することにより、確認された現在チャネル情報がアプリケーションで提供可能なチャネル範囲内であり、前記決定されたターゲットチャネルが、外部映像提供装置が提供可能なチャネル範囲である場合、ディスプレイ装置の映像ソースを外部映像提供装置に対応する外部ソースに転換し、決定されたターゲットチャネル情報を外部映像提供装置に伝送することができる。
【０１１７】
一実施形態による制御部１３０は、メモリ１２０に保存された１以上のインストラクションを実行することにより、ターゲットチャネル情報によるチャネル制御コード信号を生成し、生成されたチャネル制御コード信号を、ＩＲブラスタを利用し、外部映像提供装置に伝送するか、あるいはチャネル制御コード信号が、遠隔制御装置によって外部映像提供装置に伝送されるように、チャネル制御コード信号を遠隔制御装置に伝送することができる。
【０１１８】
一実施形態による制御部１３０は、メモリ１２０に保存された１以上のインストラクションを実行することにより、チャネル転換を要請するチャネル転換入力に応答し、確認された現在チャネル情報及びチャネルリストを基にターゲットチャネルを決定し、決定されたターゲットチャネルに対応するソースが確認された現在チャネル情報に対応するソースと同じである場合、現在コンテンツを提供するソースに、前記決定されたターゲットチャネル情報を提供することができる。
【０１１９】
また、ディスプレイ部１１０を有するディスプレイ装置１００ａは、チューナ部を有する別途の外部装置（例えば、セットトップボックス（図示せず））と電気的にも連結される。例えば、ディスプレイ装置１００ａは、アナログＴＶ、デジタルＴＶ、３Ｄ−ＴＶ、スマートＴＶ、ＬＥＤ ＴＶ、ＯＬＥＤ ＴＶ、プラズマＴＶ、モニタなどとしても具現されるが、それらに限定されるものではないということは、当該技術分野の当業者に容易に理解されるであろう。
【０１２０】
一方、図示されたディスプレイ装置１００ａのブロック図は、一実施形態のためのブロック図である。該ブロック図の各構成要素は、実際具現されるディスプレイ装置１００の仕様により、統合、追加または省略されもする。すなわち、必要により、２以上の構成要素が１つの構成要素に合わされるか、あるいは１つの構成要素が２以上の構成要素に細分されても構成される。また、各ブロックで遂行する機能は、実施形態について説明するためのものであり、その具体的な動作や装置は、本発明の権利範囲を制限するものではない。
【０１２１】
図５は、一実施形態による遠隔制御装置の構成ブロック図である。
【０１２２】
図５を参照すれば、遠隔制御装置２００は、制御部２１０、通信部２２０、入力部２３０、保存部２４０、赤外線照射部２５０を含む。
【０１２３】
通信部２２０は、双方向通信が可能な構成であり、遠隔制御装置２００の外部からデータを受信するか、あるいはデータを外部に伝送することができる。通信部２２０は、例えば、ブルートゥース（登録商標）モジュールとしても具現されるが、その場合、通信部２２０は、遠隔制御装置２００の外部（外部装置）からデータを受信することができ、外部へのデータ伝送において、赤外線照射部２５０を利用して伝送されるものよりさらに多くのデータを伝送することができる。
【０１２４】
入力部２３０は、ユーザによって操作される複数のボタン、キー、タッチパッドなどを含んでもよい。例えば、入力部２３０は、上下左右４方向ボタン及びエンターボタンを含み、それ以外に支援する機能別に、ボタンを追加して含む。入力部２３０の各ボタンには、当該ボタンに対応するキーＩＤまたはボタンＩＤが割り当てられる。
【０１２５】
保存部２４０は、通信部２２０を介して、外部からコードセットが受信されれば、当該コードセットを保存する。保存部２４０は、入力部２３０で入力が発生すれば、制御部２１０が当該入力に対応する動作コード制御信号を判断するように、コードセットを提供する。
【０１２６】
例えば、メモリである保存部２４０に保存されるコードセットは、遠隔制御装置の各ボタンに対して、各ボタンのＩＤと、各ＩＤに対応する動作コードとがマッピングされる。ボタンＩＤ及び動作コードは、前もって規定された文法によるが、リモートコントローラ及びディスプレイ装置に適用される規格により、多様な文法が適用される。
【０１２７】
例えば、チャネルアップボタンのボタンＩＤは、２１であり、それに対応する動作コードは、ＤＡＡ００１である。もしユーザがチャネルアップボタンを押せば、制御部２１０は、ボタンＩＤが２１であるボタンが押したと判断し、コードセットから２１であるボタンＩＤに対応する動作コードであるＤＡＡ００１を導き出す。制御部２１０は、導き出された動作コードＤＡＡ００１に基づいて生成した制御信号を、赤外線照射部２５０を介して、ディスプレイ装置１００に伝送する。該ディスプレイ装置は、遠隔制御装置１００から受信される制御信号から、ＤＡＡ００１の動作コードを導き出し、それに対応し、チャネルを上で探索する動作を行う。
【０１２８】
赤外線照射部２５０は、制御部２１０によって生成された制御信号を赤外線で照射するように設けられる。赤外線照射部２５０は、外部から情報や信号を受信することはできず、制御信号を外部に伝送する一方向通信を行う。
【０１２９】
制御部２１０は、通信部２２０により、特定装置のコードセットが受信されれば、当該コードセットを保存部２４０に保存する。その場合には、遠隔制御装置２００は、保存されたコードセットを使用し、その後にも当該装置を制御することができる。または、遠隔制御装置２００は、コードセットを保存部２４０に保存せず、必要なたびごとにディスプレイ装置１００から新たにコードセットを受信するようにも設けられる。保存部２４０に保存されるコードセットが複数個であるならば、制御部２１０は、それらのうちいずれか一つを選択して呼び出すことができる。
【０１３０】
制御部２１０は、入力部２３０の１ボタンが操作されれば、当該ボタンのボタンＩＤに対応する動作コードをコードセットから検索する。制御部２１０は、検索した動作コードに対応する制御信号を生成し、それを赤外線照射部２５０を介して伝送する。それにより、遠隔制御装置２００は、保存されたコードセットに対応する装置（例えば、ディスプレイ装置）の動作を制御することができる。
【０１３１】
一般的に、遠隔制御装置２００は、図５に図示されているようなコードセットを保存部２４０に保存し、該コードセットを利用し、ディスプレイ装置１００を制御することができるが、本明細書に開示された実施形態においては、ディスプレイ装置１００が複数のソース、すなわち、セットトップボックス及びその他のソースのチャネルを統合して統合チャネルを生成し、該統合チャネルの制御及び管理の主体になるために、特定のユーザ入力に対応する動作コードは、ディスプレイ装置１００が決定する。従って、本実施形態において遠隔制御装置１００は、保存部２４０に保存されたコードセットを参照することなしに、入力されたボタンＩＤに対応するＩＲ信号をディスプレイ装置１００に伝送する。
【０１３２】
例えば、ユーザがチャネルアップボタンを押した場合、制御部２１０は、チャネルアップボタンに対応するボタンＩＤ ２１情報を込めているＩＲ信号を、赤外線照射部２５０を介して、ディスプレイ装置１００に伝送する。ディスプレイ装置１００は、チャネルアップボタンに対応するチャネル転換命令を分析し、それを基に、セットトップボックス制御であるか、他のソース制御であるかということを判断した後、セットトップボックス制御である場合、ＩＲブラスタを介して、チャネルアップボタン命令に対応するチャネル制御コード信号をセットトップボックスに直接伝送するか、あるいはチャネルアップボタン命令に対応するチャネル制御コード信号を遠隔制御装置２００に伝送することができる。遠隔制御装置２００は、通信部２２を介して受信したチャネル制御コード信号に対応するチャネル制御ＩＲ信号を、赤外線照射部２５０を介して、セットトップボックスに伝送することができる。
【０１３３】
図６は、一実施形態によるディスプレイ装置の動作方法を示す。
【０１３４】
図６を参照すれば、Ｓ６１０において、ディスプレイ装置１００は、ディスプレイ装置に連結された外部映像提供装置３１０の電源がオンになっているか否かということを判断する。
【０１３５】
例えば、ユーザが待機モードまたは低電力状態にあるディスプレイ装置１００のパワーをオンにする入力を受信すれば、ディスプレイ装置１００の制御部１３０は、ディスプレイ装置１００に連結された映像提供装置３１０の電源がオンになっているか否かということを判断することができる。
【０１３６】
Ｓ６２０において、ディスプレイ装置１００は、電源がオンになった映像提供装置に対応するチャネル情報、及びディスプレイ装置にインストールされたアプリケーションで提供するチャネル情報を含むチャネルリストを構成する。
【０１３７】
例えば、ディスプレイ装置１００は、映像提供装置がオンになっている場合、ＨＤＭＩ（登録商標）を介して連結された映像提供装置から、映像提供装置が提供することができるチャネルリスト情報を持ってきて、それに仮想チャネルリストを追加し、統合チャネルリストを構成することができる。該チャネルリストは、テーブル形態に構成が可能である。
【０１３８】
図６においては、一例により、電源がオンになった映像提供装置に対応するチャネル情報を含むチャネルリストを構成したが、それに限定されるのではない。実施形態により、ディスプレイ装置１００は、電源オン／オフいかんと関係なく、ディスプレイ装置１００に連結された映像提供装置に対応するチャネル情報を含むチャネルリストを構成することができるということは言うまでもない。
【０１３９】
図７Ａ及び図７Ｂは、一実施形態により、セットトップボックスモードチャネルリストの一例、及びＴＶモードチャネルリストの一例を示す。
【０１４０】
図７Ａを参照すれば、７１０は、セットトップボックスがオンになり、セットトップボックスチャネルと、アプリケーションで提供する仮想チャネルとを統合したセットトップボックスモードチャネルリストを示し、７２０（図７Ｂ）は、セットトップボックスがオンになっていない場合、ＴＶモードでのＴＶモードチャネルリストを示す。
【０１４１】
Ｓ６３０（図６）において、ディスプレイ装置１００は、チャネルリストに含まれた１つのチャネルを選択する入力に応答し、選択されたチャネルに対応するソースを制御し、制御されたソースから獲得されたコンテンツを表示することができる。このとき、ディスプレイ装置は、ディスプレイ装置の映像ソースを、前記選択されたチャネルに対応するソースに転換することができる。
【０１４２】
図８は、一実施形態により、ディスプレイ装置１００によって構成されたチャネルリストの一例を示す。
【０１４３】
図８を参照すれば、チャネルリスト８００は、チャネルごとに、チャネル番号８１０、チャネル識別子８２０、ソース８３０を含んでもよい。チャネルリスト８００は、チャネル番号１から１００までは、映像提供装置の一例として、セットトップボックスのチャネルが割り当てられており、チャネル番号１０１から１０２には、仮想チャネルが割り当てられている。図８に図示された例においては、仮想チャネルがセットトップボックスのチャネルの裏側に配列されているように図示されているが、それに限定されるものではなく、仮想チャネルとセットトップボックスチャネルとの位置関係は、多様にも設定される。その場合、チャネルリストに含まれた各チャネルについて、それがセットトップボックスチャネルであるか、あるいは仮想チャネルであるかということを識別することができるようにするソース８３０を示す値が保存されることが望ましい。
【０１４４】
一実施形態により、チャネルリストの構成は、ユーザの選択によって編集可能でもある。例えば、ディスプレイ装置１００は、ユーザをして、セットトップボックスチャネルと仮想チャネルとをいずれも含む統合チャネルリストを編集させるユーザインターフェースを提供することができる。
【０１４５】
一実施形態によるディスプレイ装置１００は、チャネルリストの構成時、関連コンテンツ、または同一放送社基盤の順序に再配置することができる。チャネルリストを構成する場合、ディスプレイ装置１００は、仮想チャネルの位置を、セットトップボックスのチャネルリスト前後だけではなく、多様な位置に自由に構成が可能である。
【０１４６】
例えば、ディスプレイ装置１００は、セットトップボックスチャネルの情報を認識し、仮想チャネル情報と比較し、同一放送社または関連コンテンツを基に、近くの位置にチャネルが位置されるように構成することができる。
【０１４７】
図９に図示されている９１０は、同一放送社を基に、セットトップボックスチャネルと、アプリケーションで提供する仮想チャネルとを近くの位置に配置させたチャネルリストの例を示す。図９を参照すれば、ＳＢＳ放送社に対応するセットトップボックスチャネルのすぐ後ろに、ＳＢＳ放送社で提供する仮想チャネルが配置されており、ＭＢＣ放送社に対応するセットトップボックスチャネルのすぐ後ろに、ＭＢＣ放送社で提供する仮想チャネルが配置されている。
【０１４８】
一実施形態によるディスプレイ装置１００は、電源がオンになったセットトップボックスだけではなく、ディスプレイ装置１００に連結された他の外部装置についても、電源がオンになっているならば、電源がオンになった外部装置ソースをチャネルリストに含めることができる。図１に図示されている多様な外部装置２００は、図４に図示されている入出力部１７０を介して、ディスプレイ装置１００に連結され、ディスプレイ装置１００で再生されるコンテンツを供給することができる。従って、ディスプレイ装置１００のパワーがオンになれば、ディスプレイ装置１００は、ディスプレイ装置１００に連結された１以上の外部装置がオンになっているか否かということを判断し、ディスプレイ装置１００に連結されており、電源がオンになった１以上の外部装置ソースにチャネル番号を割り当て、チャネルリストを構成することができる。
【０１４９】
図１０は、一実施形態により、セットトップボックス以外に、他の外部装置ソースもチャネルリストに含ませて構成した例を示す。
【０１５０】
図１０を参照すれば、チャネルリスト１０００は、一般ＴＶチャネル１０１０、セットトップボックスチャネル１０２０、仮想チャネル１０３０、外部装置チャネル１０４０、アプリケーション１０５０を含む。一般ＴＶチャネル１０１０であるとしても、セットトップボックスチャネル１０２０と重複しないチャネルは、チャネルリストに含めることができる。チャネルリスト１０００は、外部装置チャネル１０４０として、チャネル番号７００には、ＰＣポートを、チャネル番号８００には、ＨＤＭＩ（登録商標） １を介して連結されたプレイステーションを、チャネル番号９００には、ＨＤＭＩ（登録商標） ２を介して連結されたＢＤプレイヤを、チャネル番号１０００には、ＵＳＢポートを介して連結されたＵＳＢソースを、チャネル番号１１００には、Ｗｉ−ＦｉまたはＷｉ−Ｆｉダイレクト（Ｗｉｆｉ−direct）で連結された携帯電話を含めることができる。チャネルリスト１０００には、アプリケーション１０５０も、チャネルの一つに割り当てられる。チャネル番号１２００番は、ＴＶにインストールされたYoutubeアプリのようなコンテンツ提供アプリ１が、チャネル番号１３００番は、ＴＶにインストールされたＮｅｔｆｌｉｘアプリのようなコンテンツ提供アプリ２が、チャネル番号１４００番は、ＴＶにインストールされたＴＶガイド（guide）アプリが割り当てられていることを示す。
【０１５１】
ディスプレイ装置１００に連結されており、電源がオンになった外部装置は、ユーザによって常時使用される可能性が高いと見られる。従って、そのように、電源がオンになった外部装置を含めてチャネルリストを構成しておけば、ユーザは、単にチャネルリストに含まれた外部装置チャネル選択により、当該外部装置ソースに転換することができるので、ユーザにとって、モード転換などの追加的な操作なしに、便利なソース転換を提供することができる。例えば、ユーザは、ディスプレイ装置１００を利用し、チャネル６０２に対応する仮想チャネルであるＡＴＶＰｌｕｓ３を視聴していて、遠隔制御装置２００のチャネルアップボタンを押す動作のみで、仮想チャネル６０２の次の高いチャネル番号に該当するチャネル７００に転換することができる。ディスプレイ装置１００が、チャネル６０２に対応する仮想チャネルであるＡＴＶＰｌｕｓ３を表示していて、遠隔制御装置２００のチャネルアップボタンに対応するチャネル転換命令を受信した場合、ディスプレイ装置１００は、チャネルリスト１０００から、チャネル６０２の上方向チャネルに対応するのは、チャネル７００に対応するＰＣポートソースであるということを確認することができる。このとき、ディスプレイ装置は、ディスプレイ装置の映像ソースをＰＣポートソースに転換することができる。また、ディスプレイ装置１００の制御部１３０は、ＰＣからのコンテンツを受信するように、ＰＣポート１７３を制御することができる。
【０１５２】
他の実施形態により、電源がオフになった外部装置をチャネルリストに含めて構成することもできる。このとき、ディスプレイ装置が、ディスプレイ装置の映像ソースを、電源がオフになった外部装置に転換しなければならない場合、該ディスプレイ装置は、外部装置の電源をオンにするための命令を外部装置に伝送することができる。例えば、ＰＣの電源がオフ状態である場合、ＰＣの電源をターンオン（turn-on）するためのメッセージをＰＣに伝送することができる。
【０１５３】
または、初めには、電源がオンになった外部装置をチャネルリストに含めてチャネルリストを構成しても、さまざまな原因により、少なくとも１つの外部装置がオン状態からオフ状態にも変更される。そのような場合にも、ディスプレイ装置は、オフ状態の外部装置に映像ソースを転換するために、オフ状態の外部装置に電源をオンにするための命令を伝送することができる。
【０１５４】
図１１は、一実施形態によるディスプレイ装置の動作方法の他の例を示す。
【０１５５】
図１１を参照すれば、Ｓ１１１０において、ディスプレイ装置は、ディスプレイ装置のパワーがオンになれば、ディスプレイ装置に連結された外部映像提供装置の電源がオンになっているか否かということを判断する。
【０１５６】
Ｓ１１２０において、外部映像提供装置の電源がオンになっていないと判断されれば、ディスプレイ装置は、ＴＶチャネルと、ディスプレイ装置にインストールされたアプリケーションで提供可能な仮想チャネルとを含むチャネルリストを構成する。ＴＶチャネルと仮想チャネルとを含むチャネルリストは、例えば、図７の７２０の通りである。
【０１５７】
Ｓ１１３０において、ディスプレイ装置は、遠隔制御装置からチャネル転換命令を受信する。
【０１５８】
Ｓ１１４０において、ディスプレイ装置は、受信されたチャネル転換命令により、ディスプレイに表示されるコンテンツのチャネルを変更する。
【０１５９】
Ｓ１１５０において、外部映像提供装置の電源がオンになっていると判断されれば、ディスプレイ装置は、外部映像提供装置または外部映像提供装置提供業体のサーバから、外部映像提供装置に対応するチャネルリストを獲得する。
【０１６０】
Ｓ１１６０において、ディスプレイ装置は、獲得した外部映像提供装置チャネルリストと、アプリケーションで提供する仮想チャネルリストとを利用し、１以上のセットトップボックスチャネルと、１以上の仮想チャネルとを含むチャネルリストを構成する。
【０１６１】
Ｓ１１７０において、ディスプレイ装置は、遠隔制御装置からチャネル転換命令を受信する。
【０１６２】
Ｓ１１８０において、ディスプレイ装置は、遠隔制御装置から受信したチャネル転換命令により、ディスプレイ装置の映像ソースを制御し、コンテンツを獲得することでチャネル制御をする。
【０１６３】
図１２は、一実施形態により、受信したチャネル転換命令により、チャネル制御を行う具体的な動作を示すフローチャートである。
【０１６４】
図１２を参照すれば、Ｓ１２１０において、ディスプレイ装置１００は、チャネルを転換するチャネル転換命令を遠隔制御装置２００から受信することができる。
【０１６５】
Ｓ１２２０において、ディスプレイ装置１００は、現在チャネル情報及びチャネルリストを基に、ターゲットチャネルを決定することができる。ディスプレイ装置１００は、映像供給源が外部映像供給装置である場合、ディスプレイに表示されるコンテンツイメージのあらかじめ決定された領域から、文字認識、例えば、ＯＣＲなどを介して、当該コンテンツのチャネル情報を確認することができる。また、ディスプレイ装置１００は、映像供給源がアプリケーションである場合、アプリケーションから、アプリケーションが現在提供するコンテンツに対応する現在チャネル情報を確認することができる。従って、ディスプレイ装置１００は、常時現在ディスプレイに表示されるコンテンツのチャネル情報を知ることができる。ディスプレイ装置１００は、そのように、現在チャネル情報及びチャネルリストを基に、ターゲットチャネルが何であるかということを確認することができる。例えば、ディスプレイ装置１００が、チャネルアップ命令を受信した場合、図８に図示されているチャネルリスト８００において、現在チャネル番号が１００番であるということを知ることができれば、チャネルアップ命令によるターゲットチャネルは、１０１番であるということを確認することができる。そして、チャネル番号１００に対応するソースは、セットトップボックスにおいて、チャネル番号１０１に対応するソースは、仮想チャネルであるということが分かる。
【０１６６】
Ｓ１２３０において、ディスプレイ装置１００は、現在チャネルとターゲットチャネルとのソースが同一であるか否かということを判断することができる。
【０１６７】
Ｓ１２４０において、ディスプレイ装置１００は、現在チャネルとターゲットチャネルとのソースが同一である場合、現在コンテンツを提供するソースとして、決定されたターゲットチャネル情報を提供することができる。例えば、図８の例において、現在チャネルが９９番であり、ターゲットチャネルが１００であるので、そのソースがセットトップボックスであり、同一である場合、ディスプレイ装置１００は、現在コンテンツを提供するセットトップボックスに、チャネルアップ命令を提供することができる。
【０１６８】
Ｓ１２５０において、ディスプレイ装置１００は、現在チャネルとターゲットチャネルとのソースが異なる場合、現在チャネルとターゲットチャネルとの範囲を判断することができる。
【０１６９】
Ｓ１２６０において、現在チャネルは、外部映像提供装置のチャネル範囲であり、ターゲットチャネルは、アプリケーションのチャネル範囲であると判断された場合、ディスプレイ装置１００は、映像ソースをアプリケーションに転換し、アプリケーションにターゲットチャネル情報を提供することができる。
【０１７０】
Ｓ１２７０において、現在チャネルは、アプリケーションチャネル範囲であり、ターゲットチャネルは、外部映像提供装置チャネル範囲であると判断された場合、ディスプレイ装置１００は、映像ソースを外部映像提供装置に転換し、ターゲットチャネル情報を外部映像提供装置に提供することができる。
【０１７１】
図１３は、図１２を参照して説明されたような、チャネルスイッチ命令に応答し、チャネル制御を行う動作について具体的に説明するための参照図である。
【０１７２】
図１３を参照すれば、ディスプレイ装置１００は、遠隔制御装置２００のパワーオンを示す入力ボタンに対応する信号を受信し、起動動作を始めることができる。
【０１７３】
ディスプレイ装置１００の電源がオンになれば、ディスプレイ装置１００は、ディスプレイ装置１００に連結されたセットトップボックスの電源がオンになっているか否かということを判断し、セットトップボックスの電源がオンになっている場合、セットトップボックスから受信したセットトップボックスチャネル情報と、ディスプレイ装置１００にインストールされたアプリケーションで提供する仮想チャネル情報とを統合し、チャネルリストを構成することができる。ディスプレイ装置１００は、セットトップボックスだけではなく、ディスプレイ装置に連結されている外部装置ソースについても、チャネル番号を割り当て、チャネルリストに挿入することができる。また、実施形態により、電源がオンになった外部装置ソースだけチャネルリストに挿入することもできる。
【０１７４】
例えば、ディスプレイ装置１００に連結されたセットトップボックスと、ＢＤプレイヤとの場合、ディスプレイ装置１００は、図１２のチャネルリスト８００を構成することができる。チャネルリスト８００において、１番から１００番までは、セットトップボックスチャネルが割り当てられており、１０１番と１０２番は、仮想チャネルが割り当てられており、１０３番は、ＢＤプレイヤソースが割り当てられているところが表示されている。
【０１７５】
ディスプレイ装置１００がオンになり、ディスプレイ装置１００に表示されるコンテンツは、構成されたチャネルリスト８００に含まれたチャネルのうちから多様にも決定される。ディスプレイ装置１００にあらかじめ保存された特定のチャネル番号に対応するコンテンツを表示するか、あるいはセットトップボックスから伝送される任意のチャネルに対応するコンテンツを表示することができる。または、ディスプレイ装置１００は、特定のコンテンツ表示なしに、構成したチャネルリストユーザインターフェースを表示することができる。
【０１７６】
ディスプレイ装置１００は、ディスプレイ装置１００がオンになってから、ディスプレイ部にコンテンツが表示されるとき、またはユーザがチャネル探索のために、遠隔制御装置２００を利用し、ボタンを押す場合、ディスプレイ装置１００が構成したチャネルリスト８００を示すためのチャネルリストユーザインターフェース１３４０をディスプレイ装置１００のディスプレイ部に表示することができる。チャネルリストユーザインターフェース１３４０は、チャネルアップ命令またはチャネルダウン命令が連続して受信されるときに表示される。チャネルリストユーザインターフェース１３４０が表示された状態において、ユーザは、チャネルアップキーまたはチャネルダウンキーを連続して押すことにより、所望するチャネルに迅速に移動することができる。また、ディスプレイ装置１００は、チャネルリストユーザインターフェース１３４０において、現在ディスプレイに表示されるコンテンツに対応するチャネルを識別するために、現在チャネルに対応するチャネル番号に視覚的効果、すなわち、チャネルインジケータを提供することができる。例えば、図１３に表示されたチャネルリストユーザインターフェース１３４０には、チャネル番号９９が、現在チャネルであるということを表示するために、ハイライトされているところが図示されている。チャネルリストユーザインターフェース１３４０には、当該チャネルがいかなるソースと関連があるかということを示す付加情報をさらに含んでもよい。チャネルリストに含まれたチャネルが多い場合、ユーザが選好チャネルに登録されたチャネル、または任意のチャネルについてのみ、前記付加情報を表示することができる。
【０１７７】
ディスプレイ装置１００に現在表示されるコンテンツのチャネルが９９である状態において、ユーザは、遠隔制御装置２００を利用し、チャネル転換命令を入力することができる。例えば、ユーザは、遠隔制御装置２００のチャネルアップボタンやチャネルダウンボタンを押すことにより、チャネル転換命令を入力することができる。チャネルアップボタンを押す場合、ディスプレイ装置１００は、チャネル１００に転換し、チャネルダウンボタンを押す場合、ディスプレイ装置１００は、チャネル９８に転換することができる。
【０１７８】
例えば、ディスプレイ装置１００に現在表示されるコンテンツのチャネルが９９である状態において、ユーザが遠隔制御装置２００を利用し、チャネルアップボタンを押した場合、ディスプレイ装置１００は、遠隔制御装置２００からチャネル転換命令を受信し、それにより、ディスプレイ装置１００は、チャネル９９の次チャネルであるチャネル１００に対応するコンテンツを提供するように、セットトップボックスを制御することができる。その場合、現在チャネルとターゲットチャネルとが同一ソース、すなわち、セットトップボックスで提供可能であるので、ディスプレイ装置は、ターゲットチャネル情報ではないチャネルアップに該当する情報をセットトップボックスに提供することができる。もしチャネルリストユーザインターフェース１３４０が表示された状態において、チャネルインジケータの操作を介して、チャネル転換が要請された場合には、現在チャネルとターゲットチャネルとが同一ソースであっても、ターゲットチャネル情報をセットトップボックスに提供することができる。
【０１７９】
ディスプレイ装置１００が生成するチャネルリスト８００は、複数のソースからのコンテンツに係わる情報を込めているために、ディスプレイ装置１００は、現在ディスプレイ装置１００に表示されるコンテンツのチャネル番号を認識しなければならない。そのように、ディスプレイ装置１００が現在ディスプレイ装置１００に表示されるコンテンツのチャネル番号を認識していてこそ、チャネル転換命令により、チャネルを変更するとき、変更されたチャネルに対応するソースを適切に制御することができる。
【０１８０】
ディスプレイ装置１００は、文字認識を利用し、ディスプレイ装置１００に現在表示されるコンテンツのチャネル番号を認識することができる。文字認識方法としては、例えば、ＯＣＲがある。
【０１８１】
該セットトップボックスは、ケーブルを介して放送信号を受信し、受信された放送信号を処理し、ディスプレイ装置１００に伝送することができる。このとき、該セットトップボックスは、ユーザが１つの放送チャネルを視聴している最中、チャネルを転換する場合、転換されたチャネルに該当する放送コンテンツの映像に転換されたチャネルに係わる情報、すなわち、チャネル番号、放送国名、放送コンテンツ題目を含む情報をＯＳＤ（on screen display）形態で付与し、ディスプレイ装置１００に伝送することができる。
【０１８２】
該セットトップボックスは、ＯＳＤを構成するＯＳＤ構成情報により、映像にＯＳＤを付加し、該ＯＳＤ構成情報は、セットトップボックスごとに異なる。そのように、該セットトップボックスに対応するＯＳＤ構成情報は、セットトップボックスからディスプレイ装置に直接伝送されるか、あるいは外部サーバを介して、ディスプレイ装置にも伝送される。該ＯＳＤ構成情報は、チャネル番号、放送国名、コンテンツ題目のようなＯＳＤ構成要素がディスプレイ装置でディスプレイされる位置、大きさ、間隔などに係わる情報を含み、セットトップボックスごとに異なる。
【０１８３】
該ディスプレイ装置に含まれた認識モジュールは、入力された映像を文字として認識することができる。例えば、該認識モジュールは、ＯＣＲ方法を使用することができる。認識モジュールは、ＯＳＤ構成情報によるコンテンツの領域からＯＳＤ構成要素を抽出し、抽出されたＯＳＤ構成要素は、文字として認識されてディスプレイされる映像に係わる情報を獲得することができる。そのような認識モジュールにより、ディスプレイ装置１００は、セットトップボックスから受信されたコンテンツ映像から、当該コンテンツ映像に対応するチャネル情報を獲得することができる。
【０１８４】
そのように、ディスプレイ装置１００は、映像供給源がセットトップボックスである場合、例えば、ＯＣＲなどを利用し、ディスプレイ装置１００に現在表示されるコンテンツに係わるチャネル番号を確認し、確認されたチャネル番号を、例えば、現在チャネル保管所１３３０に維持することができる。ディスプレイ装置１００は、映像供給源がアプリケーションである場合、アプリケーションから、コンテンツに対応するチャネル番号を受信するので、ディスプレイ装置１００は、アプリケーションから提供されるコンテンツに対応するチャネル番号を確認し、それを現在チャネル保管所１３３０に維持することができる。
【０１８５】
ディスプレイ装置１００は、遠隔制御装置２００からチャネル転換命令を受信すれば、現在チャネル保管所１３３０に保存された現在チャネル及びチャネルリスト８００を利用し、チャネル転換命令により、制御するソース装置を制御することができる。
【０１８６】
具体的には、ディスプレイ装置１００は、チャネル転換命令を受信した場合、現在チャネルを確認し、確認された現在チャネル及びチャネルリストを基に、ターゲットチャネルを決定することができる。
【０１８７】
そして、ディスプレイ装置１００は、確認された現在チャネルとターゲットチャネルとが同一ソースである場合、当該ソースに、チャネル転換命令に対応する制御信号を伝送することができる。例えば、もし現在ディスプレイ装置１００に表示されるチャネルが１００番である状態において、ユーザが遠隔制御装置２００を利用し、チャネルダウンボタンを押した場合、チャネルダウン命令により、表示されるコンテンツのチャネルは、チャネル９９であり、チャネル９９に対応するソースは、セットトップボックスであるので、ディスプレイ装置１００は、セットトップボックスに、チャネルダウン命令に対応するチャネル制御信号を伝送することができる。ディスプレイ装置１００が、セットトップボックスにチャネル制御信号を伝送する方法は、図１４または図１５を参照して説明する。
【０１８８】
ディスプレイ装置１００は、確認された現在チャネルとターゲットチャネルとが異なるソースである場合、ディスプレイ装置の映像ソースを、ターゲットチャネルに対応するソースに転換し、ターゲットチャネルに対応するソースに、チャネル転換命令に対応する制御信号を提供することができる。
【０１８９】
例えば、現在ディスプレイ装置１００に表示されるチャネルが１００番である状態で、ユーザが遠隔制御装置２００を利用し、さらにチャネルアップボタンを押した場合、遠隔制御装置２００は、チャネルアップボタンに対応するチャネル制御命令をディスプレイ装置１００に伝送することができる。ディスプレイ装置１００のＭＢＲ（multi-brand remote control）モジュール１２５は、遠隔制御装置２００からチャネル制御命令を受信し、現在ディスプレイ装置１００で現在表示されているチャネル番号を確認することができる。現在ディスプレイ装置１００に表示されるコンテンツのチャネル番号は、１００であるので、現在チャネル番号は１００であり、チャネルアップ命令に対応するチャネル番号、すなわち、ターゲットチャネル番号を、チャネルリスト８００から確認することができる。図１２に図示されているチャネルリスト８００を確認すれば、チャネル番号１００の次チャネルアップに対応するチャネル番号は、チャネル１０１番であり、ターゲットチャネル１０１に対応するソースは、アプリケーション仮想チャネルであることを確認することができる。そのように、ディスプレイ装置１００は、現在チャネルとターゲットチャネルとのソースが互いに異なるので、ディスプレイ装置の映像ソースをターゲットチャネルのソース、すなわち、アプリケーションに転換し、ターゲットチャネルに係わる情報をアプリケーションに提供することにより、チャネル制御を行うことができる。
【０１９０】
また、現在ディスプレイ装置１００に表示されるチャネルが１０２番である状態において、ユーザが遠隔制御装置２００を利用し、さらにチャネルアップボタンを押した場合、遠隔制御装置２００は、チャネルアップボタンに対応するチャネル制御命令をディスプレイ装置１００に伝送することができる。ディスプレイ装置１００のＭＢＲモジュール１２５は、遠隔制御装置２００からチャネル制御命令を受信し、現在ディスプレイ装置１００で現在表示されているチャネル番号を確認することができる。現在ディスプレイ装置１００に表示されるコンテンツのチャネル番号は、１０２であり、チャネルアップに対応するチャネル番号をチャネルリスト８００から確認することができる。図１３に図示されているチャネルリスト８００を確認すれば、チャネル番号１０２の次チャネルアップに対応するチャネル番号は、チャネル１０３番であり、チャネル１０３に対応するソースは、ＢＤプレイヤであることを確認することができる。ディスプレイ装置１００は、チャネル制御命令により、制御するソースがＢＤプレイヤであるので、ＢＤプレイヤでコンテンツを受信するように、ＢＤプレイヤを制御することができる。
【０１９１】
ディスプレイ装置１００が遠隔制御装置２００から受信されたチャネル転換命令により、チャネル制御を行うとき、制御するソースがセットトップボックスである場合には、セットトップボックスにチャネル制御コード信号を伝送するが、制御するソースがセットトップボックスではない場合、チャネル制御コード信号がセットトップボックスに伝送されないように留意する必要がある。
【０１９２】
一例により、ディスプレイ装置１００がチャネル１０１を表示する状態において、ユーザが遠隔制御装置２００を利用し、チャネルダウンボタンを入力すれば、ディスプレイ装置１００は、現在チャネルが１０１であることを確認し、チャネルリスト８００からターゲットチャネルが１０２番、すなわち、セットトップボックスチャネルであるということを確認することができる。セットトップボックスではないソース、すなわち、アプリケーション仮想チャネルからセットトップボックスソースにチャネル転換が行われる場合、ディスプレイ装置１００は、現在セットトップボックスが維持するチャネルを確認し難いので、チャネルアップ命令やチャネルダウン命令に対応するチャネル制御コード信号ではなく、実際チャネル番号に転換せよという命令に対応するチャネル制御コード信号をセットトップボックスに伝送することができる。例えば、前述の場合、ディスプレイ装置１００は、チャネル１０１を表示した状態において、チャネルダウン命令が入力されれば、チャネル１００を確認し、セットトップボックスに、チャネル１００に転換せよという命令に対応するチャネル制御コードを伝送することができる。
【０１９３】
ディスプレイ装置１００がセットトップボックスを制御する方法としては、ディスプレイ装置１００がセットトップボックス３１０を直接制御する方法と、ディスプレイ装置１００が遠隔制御装置２００を介して、セットトップボックス３１０を制御する方法とがある。
【０１９４】
まず、図１４を参照し、ディスプレイ装置１００がセットトップボックス３１０を直接制御する方法について説明する。
【０１９５】
図１４を参照すれば、ディスプレイ装置１００がチャネル９９に対応するコンテンツを表示する状態において、ユーザが遠隔制御装置２００を使用し、チャネルアップボタンを押せば、遠隔制御装置２００は、チャネルアップボタンに対応するチャネル制御命令を、ディスプレイ装置１００に伝送することができる。ディスプレイ装置１００のＭＢＲモジュール１２５は、遠隔制御装置２００から受信したチャネル制御命令を受信し、現在ディスプレイ装置１００で現在表示されているチャネル番号を確認することができる。現在ディスプレイ装置１００に表示されるコンテンツのチャネル番号は、９９であり、チャネルアップに対応するチャネル番号をチャネルリスト８００から確認することができる。図１３に図示されているチャネルリスト８００を確認すれば、チャネル番号９９の次チャネルアップに対応するチャネル番号は、チャネル１００番であり、チャネル１００に対応するソースは、セットトップボックスであることを確認することができる。ディスプレイ装置１００は、チャネル制御命令により、制御するソースがセットトップボックスであるので、セットトップボックス３１０に、チャネルアップに対応するコード信号を伝送することができる。すなわち、ディスプレイ装置１００のＭＢＲモジュール１２５は、セットトップボックス３１０に対応するコードセットをサーチし、チャネルアップ命令に対応するコードを探し、探したコード信号をＩＲブラスタ１３２０に伝送することができる。ＩＲブラスタ１３２０は、受信したコード信号に対応するチャネル制御ＩＲを、セットトップボックス３１０に伝送することができる。
【０１９６】
チャネル制御ＩＲを受信したセットトップボックス３１０は、受信されたチャネル制御ＩＲにより、チャネルアップ命令を遂行し、チャネル９９の次チャネルであるチャネル１００に対応するコンテンツに、ＯＳＤ構成要素を付与し、ディスプレイ装置１００に提供することができる。
【０１９７】
次に、図１５を参照し、ディスプレイ装置１００が遠隔制御装置２００を介して、セットトップボックス３１０を制御する方法について説明する。
【０１９８】
図１５を参照すれば、ディスプレイ装置１００がチャネル９９に対応するコンテンツを表示する状態において、ユーザが遠隔制御装置２００を使用し、チャネルアップボタンを押せば、遠隔制御装置２００は、チャネルアップボタンに対応するチャネル制御命令をディスプレイ装置１００に伝送することができる。ディスプレイ装置１００のＭＢＲモジュール１２５は、遠隔制御装置２００から受信したチャネル制御命令を受信し、現在ディスプレイ装置１００で現在表示されているチャネル番号を確認することができる。現在ディスプレイ装置１００に表示されるコンテンツのチャネル番号は、９９であり、チャネルアップに対応するチャネル番号をチャネルリスト８００から確認することができる。図１３に図示されているチャネルリスト８００を確認すれば、チャネル番号９９の次チャネルアップに対応するチャネル番号は、チャネル１００番であり、チャネル１００に対応するソースは、セットトップボックスであることを確認することができる。ディスプレイ装置１００は、チャネル制御命令により、制御するソースがセットトップボックスであるので、セットトップボックス３１０に、チャネルアップに対応するコード信号を伝送することができる。すなわち、ディスプレイ装置１００のＭＢＲモジュール１２５は、セットトップボックス３１０に対応するコードセットをサーチし、チャネルアップ命令に対応するコードを探し、探したコード信号を遠隔制御装置２００に伝送することができる。遠隔制御装置２００は、受信したコード信号に対応するチャネル制御ＩＲを、セットトップボックス３１０に伝送することができる。
【０１９９】
チャネル制御ＩＲを受信したセットトップボックス３１０は、受信されたチャネル制御ＩＲによってチャネルアップ命令を遂行し、チャネル９９の次チャネルであるチャネル１００に対応するコンテンツに、ＯＳＤ構成要素を付与し、ディスプレイ装置１００に提供することができる。
【０２００】
一実施形態によるディスプレイ装置の動作方法は、多様なコンピュータ手段を介しても遂行されるプログラム命令形態に具現され、コンピュータ可読媒体にも記録される。前記コンピュータ可読媒体は、プログラム命令、データファイル、データ構造などを単独または組み合わせて含んでもよい。前記媒体に記録されるプログラム命令は、本発明のために特別に設計されて構成されたものでもあり、コンピュータソフトウェア当業者に公知されて使用可能なものでもある。コンピュータ可読記録媒体の例としては、ハードディスク、フロッピィーディスク及び磁気テープのような磁気媒体（magnetic media）；ＣＤ−ＲＯＭ（compact disc read only memory）、ＤＶＤ（digital versatile disc）のような光記録媒体（optical media）；フロプティカルディスク（floptical disk）のような磁気・光媒体（magneto-optical media）；及びＲＯＭ、ＲＡＭ、フラッシュメモリのようなプログラム命令を保存して遂行するように特別に構成されたハードウェア装置が含まれる。プログラム命令の例には、コンパイラによって作われるような機械語コードだけではなく、インタープリタなどを使用し、コンピュータによって実行される高級言語コードを含む。
【０２０１】
以上、実施形態について詳細に説明したが、本発明の権利範囲は、それらに限定されるものではなく、特許請求の範囲で定義している本発明の基本概念を利用した当業者の多くの変形、及び改良形態も、本発明の権利範囲に属する。
【符号の説明】
【０２０２】
10  放送局
21  セットトップボックスチャネルリスト
22  ＴＶチャネルリスト
24  ＴＶモード統合チャネルリスト
25  セットトップボックスモード統合チャネルリスト
30  通信ネットワーク
40  コンテンツ提供サーバ
50  外部入力ソース選択
51  ライブＴＶ
52  ＴＶプラス
53  ＴＶガイド
54  コンテンツ提供アプリ１
55  コンテンツ提供アプリ２
56  コンテンツ提供アプリ３
66  コンポーネント
68  ブルートゥース（登録商標）
100  ディスプレイ装置
110  ディスプレイ部
115  オーディオ処理部
120  メモリ
121  オペレーティングシステム
122  アプリケーション
123  統合チャネル制御モジュール
124  文字認識モジュール
125  ＭＢＲモジュール
126  オーディオ出力部
127  スピーカ
128  ヘッドフォン出力ポート
129  Ｓ／ＰＤＩＦ  出力ポート
130  制御部
140  チューナ部
150  通信部
151  無線ＬＡＮ
152  ブルートゥース（登録商標）
153  有線イーサネット（登録商標）
160  感知部
161  マイク
162  カメラ部
163  光受信部
170  入出力部
171  ＨＤＭＩ（登録商標）ポート
172  コンポーネントジャック
173  ＰＣポート
174  ＵＳＢポート
180  ビデオ処理部
181  グラフィック処理部
190  電源部
200  遠隔制御装置
210  制御部
220  通信部
230  入力部
240  保存部
250  赤外線照射部
300  外部装置
310  映像提供装置
311  制御部
312  入出力部
313  感知部
320  ゲーム装置
330  ＢＤプレイヤ
360  携帯電話
710  セットボックスモードチャネルリスト
720  ＴＶモードチャネルリスト
800  チャネルリスト
810  チャネル番号
820  チャネル識別子
830  ソース
1010  一般ＴＶチャネル
1020  セットトップボックスチャネル
1030  仮想チャネル
1040  外部装置チャネル
1050  アプリケーション
1310  チャネル番号
1330  現在チャネル保管所
1400  ＩＲブラスタ
【図１Ａ】
2020532208.tif 000003
【図１Ｂ】
2020532208.tif 000004
【図２Ａ】
2020532208.tif 000005
【図２Ｂ】
2020532208.tif 000006
【図２Ｃ】
2020532208.tif 000007
【図２Ｄ】
2020532208.tif 000008
【図２Ｅ】
2020532208.tif 000009
【図３】
2020532208.tif 000010
【図４】
2020532208.tif 000011
【図５】
2020532208.tif 000012
【図６】
2020532208.tif 000013
【図７Ａ】
2020532208.tif 000014
【図７Ｂ】
2020532208.tif 000015
【図８】
2020532208.tif 000016
【図９】
2020532208.tif 000017
【図１０】
2020532208.tif 000018
【図１１】
2020532208.tif 000019
【図１２】
2020532208.tif 000020
【図１３】
2020532208.tif 000021
【図１４】
2020532208.tif 000022
【図１５】
2020532208.tif 000023
【国際調査報告】
2020532208.tif 000024
2020532208.tif 000025
2020532208.tif 000026